(57)【特許請求の範囲】
【請求項１】
第２のユーザ装置（３０４）によって送信された参照信号に関する測定を実行するための第１のユーザ装置（３０２）内の方法であって、前記第１のユーザ装置（３０２）はＤ２Ｄ通信能力を有しており、前記第２のユーザ装置（３０４）はＤ２Ｄ通信能力を有しておらず、前記第１のユーザ装置（３０２）と、前記第２のユーザ装置（３０４）と、無線ネットワークノード（３０６）とが通信ネットワーク（３００）内に備えられ、前記方法は、
前記無線ネットワークノード（３０６）から、前記第２のユーザ装置（３０４）によって送信された前記参照信号に関する構成情報を受信するステップ（５０１）と、
前記第２のユーザ装置（３０４）によって送信された前記参照信号に関する測定を、受信された前記第２のユーザ装置（３０４）の前記構成情報に基づいて、実行するステップ（４０６、５０５）と、
前記通信ネットワーク（３００）内のＤ２Ｄ通信のためのリソース割り当てを支援するために、前記実行された測定の結果を、前記無線ネットワークノード（３０６）にレポートするステップ（４０７、５０６）と
を備える方法。
【請求項２】
複数の第２のユーザ装置（３０４）の各々によって送信された参照信号に関する測定を実行するための第１のユーザ装置（３０２）内の方法であって、前記第２のユーザ装置（３０４）の１つはＤ２Ｄ通信能力を有しており、前記第２のユーザ装置（３０４）の１つはＤ２Ｄ通信能力を有しておらず、前記第１のユーザ装置（３０２）と、前記第２のユーザ装置（３０４）と、無線ネットワークノード（３０６）とが通信ネットワーク（３００）内に備えられ、前記方法は、
前記無線ネットワークノード（３０６）から、前記第２のユーザ装置（３０４）の各々によって送信された前記参照信号に関する構成情報を受信するステップ（５０１）と、
前記第２のユーザ装置（３０４）の各々によって送信された前記参照信号に関する測定を、受信された前記第２のユーザ装置（３０４）の各々の前記構成情報に基づいて、実行するステップ（４０６、５０５）と、
前記通信ネットワーク（３００）内のＤ２Ｄ通信のためのリソース割り当てを支援するために、前記実行された測定の結果を、前記無線ネットワークノード（３０６）にレポートするステップ（４０７、５０６）と
を備える方法。
【請求項３】
前記無線ネットワークノード（３０６）からタイミングアドバンス情報を受信するステップ（５０２）をさらに備え、
前記参照信号に関する前記測定を実行する前記ステップ（４０６、５０５）は、前記受信されたタイミングアドバンス情報に基づいて、前記参照信号に関する前記測定を実行するステップをさらに備える請求項１又は２に記載の方法。
【請求項４】
前記参照信号に関する前記測定を実行する前記ステップ（４０６、５０５）は、第１のユーザ装置（３０２）の送信タイミングが前記第２のユーザ装置（３０４）の送信タイミングに等しいという想定に基づいて前記測定を実行するステップをさらに備える請求項１から３のいずれか１項に記載の方法。
【請求項５】
前記第２のユーザ装置（３０４）によって送信された前記参照信号を用いて相関することにより前記第２のユーザ装置（３０４）に同期するステップ（４０４、５０３）
をさらに備える請求項１から４のいずれか１項に記載の方法。
【請求項６】
前記測定を実行する前記ステップ（４０６、５０５）は、
周波数選択スケジューリングを実現するために前記第２のユーザ装置（３０４）の送信の複数の周波数チャネルに関する測定を実行するステップ、および／または
前記参照信号に関するチャネル品質推定を実行するステップ、および／または
データを送信することには用いられない物理リソースブロック（ＰＲＢ）を決定するために前記ＰＲＢに関する測定を実行するステップ、および／または
信号強度測定、信号品質測定、および／または経路損失測定を実行するステップ
をさらに備える請求項１から５のいずれか１項に記載の方法。
【請求項７】
前記結果をレポートする前記ステップ（４０７、５０６）は、前記第１のユーザ装置（３０２）に対して干渉を引き起こす１つ以上の前記第２のユーザ装置（３０４）からの前記参照信号に関する結果をレポートするステップをさらに備える請求項１から６のいずれか１項に記載の方法。
【請求項８】
前記結果をレポートする前記ステップ（４０７、５０６）は、受信信号レベルが閾値より上にある１つ以上の第２のユーザ装置（３０４）からの前記参照信号に関する結果をレポートするステップをさらに備え、前記閾値は、前記無線ネットワークノード（３０６）によって構成可能、または既定のものである請求項１から６のいずれか１項に記載の方法。
【請求項９】
前記レポートするステップ（４０７、５０６）は、前記参照信号に関する前記測定の完了によってトリガされるか、周期的であるか、または、事前構成された閾値を超える前記測定の前記結果によって作動されるイベントトリガ型である、請求項１から８のいずれか１項に記載の方法。
【請求項１０】
前記第１のユーザ装置（３０２）がＤ２Ｄ通信能力を有しており、前記方法は、
前記第１のユーザ装置（３０２）の能力情報を前記無線ネットワークノード（３０６）にレポートするステップ（４００、５００）をさらに備え、
前記能力情報は、前記第２のユーザ装置（３０４）によって送信された前記参照信号に関する少なくとも１つの測定を、第１のユーザ装置（３０２）が実行することができることを示す、請求項１から９のいずれか１項に記載の方法。
【請求項１１】
前記第１のユーザ装置（３０２）がＤ２Ｄ通信能力を有しており、前記方法は、
前記無線ネットワークノード（３０６）のアップリンクリソース上で、Ｄ２Ｄ通信能力を有する前記第２のユーザ装置と通信するステップ（５０４）をさらに備える、請求項２に記載の方法。
【請求項１２】
前記第１のユーザ装置（３０２）がＤ２Ｄ通信能力を有しており、前記方法は、
前記無線ネットワークノード（３０６）によって割り当てられたアップリンクまたはダウンリンクのリソース上で、Ｄ２Ｄ通信能力を有する前記第２のユーザ装置（３０４）と通信するステップ（５０４）をさらに備える、請求項２に記載の方法。
【請求項１３】
前記第１のユーザ装置（３０２）がＤ２Ｄ通信能力を有しておらず、前記方法は、
前記第１のユーザ装置（３０２）の能力情報を前記無線ネットワークノード（３０６）にレポートするステップ（４００、５００）をさらに備え、
前記能力情報は、Ｄ２Ｄ通信能力を有する前記第２のユーザ装置（３０４）によって送信された前記参照信号に関する少なくとも１つの測定を、第１のユーザ装置（３０２）が実行することができることを示す、請求項２に記載の方法。
【請求項１４】
前記第１のユーザ装置（３０２）がＤ２Ｄ通信能力を有しておらず、前記第２のユーザ装置（３０４）の１つは、ダウンリンクリソース上での通信についてＤ２Ｄ通信能力を有しており、前記測定を実行する前記ステップ（４０６、５０５）は、
前記無線ネットワークノード（３０６）によって送信された参照信号に関する追加的測定を実行するステップと、
ダウンリンクリソース上での通信についてＤ２Ｄ通信能力を有する前記第２のユーザ装置（３０４）によって送信された前記参照信号に関する前記測定の前記結果と、前記無線ネットワークノード（３０６）によって送信された前記参照信号に関する前記追加的測定の前記結果とを比較するステップ（５０６）と
をさらに備え、
前記レポートするステップ（４０７、５０７）は、前記無線ネットワークノード（３０６）に対して前記比較の前記結果をレポートするステップをさらに備える、請求項２に記載の方法。
【請求項１５】
前記参照信号は、サウンディング参照信号（ＳＲＳ）、復調参照信号（ＤＭＲＳ）、任意のパイロット信号、または既定の信号である請求項１から１４のいずれか１項に記載の方法。
【請求項１６】
通信ネットワーク（３００）内のＤ２Ｄ通信のためのリソース割り当てを制御するための無線ネットワークノード（３０６）内の方法であって、前記通信ネットワーク（３００）は、前記無線ネットワークノード（３０６）と、Ｄ２Ｄ通信能力を有する第１のユーザ装置（３０２）と、Ｄ２Ｄ通信能力を有しない第２のユーザ装置（３０４）とを備え、前記方法は、
参照信号を送信するように前記第２のユーザ装置（３０４）を構成するステップ（４０１、７０１）と、
前記第２のユーザ装置（３０４）に関する構成情報を、前記第１のユーザ装置（３０２）に送信するステップ（４０２、７０２）と、
前記第２のユーザ装置（３０４）によって送信された前記参照信号に関する、前記第１のユーザ装置（３０２）によって実行された測定の結果を受信するステップ（７０５）と、
前記測定の前記結果に基づいて、２つのＤ２Ｄ可能なユーザ装置の間のＤ２Ｄ通信のための１つ以上の無線オペレーションタスクを実行するステップ（５０８、７０６）と
を備える方法。
【請求項１７】
通信ネットワーク（３００）内のＤ２Ｄ通信のためのリソース割り当てを制御するための無線ネットワークノード（３０６）内の方法であって、前記通信ネットワーク（３００）は、前記無線ネットワークノード（３０６）と、第１のユーザ装置（３０２）と、少なくとも２つの第２のユーザ装置（３０４）とを備え、前記第２のユーザ装置（３０４）の１つはＤ２Ｄ通信能力を有しており、前記第２のユーザ装置（３０４）の１つはＤ２Ｄ通信能力を有しておらず、前記方法は、
参照信号を送信するように前記第２のユーザ装置（３０４）の各々を構成するステップ（４０１、７０１）と、
前記第２のユーザ装置（３０４）に関する構成情報を、前記第１のユーザ装置（３０２）に送信するステップ（４０２、７０２）と、
前記第２のユーザ装置（３０４）の各々によって送信された前記参照信号に関する、前記第１のユーザ装置（３０２）によって実行された測定の結果を受信するステップ（７０５）と、
前記測定の前記結果に基づいて、２つのＤ２Ｄ可能なユーザ装置の間のＤ２Ｄ通信のための１つ以上の無線オペレーションタスクを実行するステップ（５０８、７０６）と
を備える方法。
【請求項１８】
前記１つ以上の無線オペレーションタスクを実行するステップ（５０８、７０６）は、
Ｄ２Ｄ通信およびセルラ通信のための周波数領域および時刻領域のスケジューリングを行うステップ、および／または
アップリンク伝送のためのアンテナモードを選択するステップ、および／または
前記第２のユーザ装置（３０４）のためのトランスポートフォーマットを適応させるステップ、および／または
前記第２のユーザ装置（３０４）の送信電力を制御するステップ、および／または
前記第２のユーザ装置（３０４）のためのセル変更を実行するステップ、および／または
前記通信ネットワーク（３００）内部の無線リソースを管理するステップ
を備える、請求項１６又は１７に記載の方法。
【請求項１９】
前記第２のユーザ装置（３０４）を構成するステップ（４０１、７０１）は、
ブロードキャストパラメータまたは特定の信号方式を前記第２のユーザ装置（３０４）に用いることによって、前記第２のユーザ装置（３０４）に構成情報を送信するステップ
をさらに備える請求項１６から１８のいずれか１項に記載の方法。
【請求項２０】
前記第２のユーザ装置（３０４）を構成するステップ（４０１、７０１）は、帯域幅の一部、または全体帯域幅を通じて前記参照信号を送信するように前記第２のユーザ装置（３０４）を構成するステップをさらに備える、請求項１６から１９のいずれか１項に記載の方法。
【請求項２１】
前記第２のユーザ装置（３０４）を構成するステップ（４０１、７０１）は、前記参照信号帯域幅、前記参照信号の期間および／または周期性、サブフレーム内部の参照位置、Ｚａｄｏｆｆ−Ｃｈｕシーケンスのための循環シフト、および／または前記第２のユーザ装置（３０４）のホッピングシーケンス情報を構成するステップをさらに備える、請求項１９に記載の方法。
【請求項２２】
前記第２のユーザ装置（３０４）を構成するステップ（４０１、７０１）は、前記第２のユーザ装置（３０４）の送信タイミングアドバンスを構成するステップをさらに備える、請求項１６から２１のいずれか１項に記載の方法。
【請求項２３】
前記第２のユーザ装置（３０４）に関するタイミングアドバンス情報を、前記第１のユーザ装置（３０２）に送信するステップ（４０３、７０３）
をさらに備える、請求項１６から２２のいずれか１項に記載の方法。
【請求項２４】
前記第２のユーザ装置（３０４）によって送信された前記参照信号の受信電力、受信干渉、および／またはビット誤り率に関する特定の測定を実行するように前記第１のユーザ装置（３０２）にリクエストするステップ（４０４、７０４）
をさらに備える、請求項１６から２３のいずれか１項に記載の方法。
【請求項２５】
前記通信ネットワーク（３００）内に備えられた１つ以上の他の無線ネットワークノード（３０６）に対して、または１つ以上のネットワークノード（３１０）に対して前記測定の前記結果を送信するステップ（７０８）をさらに備え、これにより前記１つ以上の他の無線ネットワークノード（３０６）または前記１つ以上のネットワークノード（３１０）が、１つ以上のネットワークオペレーションタスクのために前記測定結果を用いるようにする、請求項１６から２３のいずれか１項に記載の方法。
【請求項２６】
前記ネットワークノード（３１０）は、オペレーション支援システム（ＯＳＳ）ノード、自己組織ネットワーク（ＳＯＮ）ノード、移動データ端末（ＭＤＴ）、オペレーションおよびメンテナンス（Ｏ＆Ｍ）ノード、ネットワーク監視ノード、ネットワーク管理ノード、ネットワーク計画ノード、基幹回線網ノード、測位ノード、集中型ノード、またはネットワーク制御ノードであり、
前記ネットワークノード（３１０）は、ネットワーク計画、ネットワーク監視、ネットワーク管理、またはネットワーク・オペレーショナル・パラメータのチューニングなどの、１つ以上のネットワークオペレーションタスクを実行するように構成される、請求項２５に記載の方法。
【請求項２７】
前記参照信号は、サウンディング参照信号（ＳＲＳ）、復調参照信号（ＤＭＲＳ）、任意のパイロット信号、または既定の信号である請求項１６から２６のいずれか１項に記載の方法。
【請求項２８】
Ｄ２Ｄ通信能力を有していない第２のユーザ装置（３０４）によって送信された参照信号に関する測定を実行する、Ｄ２Ｄ通信能力を有する第１のユーザ装置（３０２）であって、前記第１のユーザ装置（３０２）、前記第２のユーザ装置（３０４）、および無線ネットワークノード（３０６）は、前記通信ネットワーク（３００）内に備えられ、前記第１のユーザ装置（３０２）は、
前記無線ネットワークノード（３０６）から、前記第２のユーザ装置（３０４）によって送信された前記参照信号に関する構成情報を受信するように構成された受信回路（６０１）と、
前記第２のユーザ装置（３０４）によって送信された前記参照信号に関する測定を、受信された前記第２のユーザ装置（３０４）の前記構成情報に基づいて、実行するように構成された実行回路（６０５）と、
前記通信ネットワーク（３００）内のＤ２Ｄ通信のためのリソース割り当てを支援するために、前記実行された測定の結果を、前記無線ネットワークノード（３０６）にレポートするように構成されたレポート回路（６０６）と
を備える、第１のユーザ装置。
【請求項２９】
複数の第２のユーザ装置（３０４）の各々によって送信された参照信号に関する測定を実行する第１のユーザ装置（３０２）であって、前記第２のユーザ装置（３０４）の１つはＤ２Ｄ通信能力を有しており、前記第２のユーザ装置（３０４）の１つはＤ２Ｄ通信能力を有しておらず、前記第１のユーザ装置（３０２）、前記第２のユーザ装置（３０４）、および無線ネットワークノード（３０６）は、前記通信ネットワーク（３００）内に備えられ、前記第１のユーザ装置（３０２）は、
前記無線ネットワークノード（３０６）から、前記第２のユーザ装置（３０４）の各々によって送信された前記参照信号に関する構成情報を受信するように構成された受信回路（６０１）と、
前記第２のユーザ装置（３０４）の各々によって送信された前記参照信号に関する測定を、受信された前記第２のユーザ装置（３０４）の各々の前記構成情報に基づいて、実行するように構成された実行回路（６０５）と、
前記通信ネットワーク（３００）内のＤ２Ｄ通信のためのリソース割り当てを支援するために、前記実行された測定の結果を、前記無線ネットワークノード（３０６）にレポートするように構成されたレポート回路（６０６）と
を備える、第１のユーザ装置。
【請求項３０】
前記受信回路（６０１）は、前記無線ネットワークノード（３０６）からタイミングアドバンス情報を受信するようにさらに構成され、前記実行回路（６０５）は、前記受信されたタイミングアドバンス情報に基づいて前記測定を実行するようにさらに構成される、請求項２８又は２９に記載の第１のユーザ装置。
【請求項３１】
前記実行回路（６０５）は、前記第１のユーザ装置（３０２）の送信タイミングが前記第２のユーザ装置（３０４）の送信タイミングと等しいという想定に基づいて、前記参照信号に関する前記測定を実行するようにさらに構成される請求項２８から３０のいずれか１項に記載の第１のユーザ装置。
【請求項３２】
前記第２のユーザ装置（３０４）によって送信された前記参照信号を用いて相関することにより、前記第２のユーザ装置（３０４）に同期するように構成された同期回路（６０３）をさらに備える請求項２８から３１のいずれか１項に記載の第１のユーザ装置。
【請求項３３】
前記実行回路（６０５）は、
周波数選択スケジューリングを実現するために前記第２のユーザ装置（３０４）の送信の複数の周波数チャネル、および／または
参照信号に関するチャネル品質推定、および／または
データを送信することには用いられない物理リソースブロック（ＰＲＢ）を決定するための前記ＰＲＢ、および／または
信号強度、および／または
信号品質、および／または
経路損失
に関する測定を実行するようにさらに構成される、請求項２８から３２のいずれか１項に記載の第１のユーザ装置。
【請求項３４】
前記レポート回路（６０６）は、前記第１のユーザ装置（３０２）に対して干渉を引き起こす１つ以上の前記第２のユーザ装置（３０４）からの前記参照信号に関する結果をレポートするようにさらに構成される、請求項２８から３３のいずれか１項に記載の第１のユーザ装置。
【請求項３５】
前記レポート回路（６０６）は、受信信号レベルが閾値より上にある１つ以上の第２のユーザ装置（３０４）からの前記参照信号に関する結果をレポートするようにさらに構成され、前記閾値は、前記無線ネットワークノード（３０６）によって構成可能、または既定のものである、請求項２８から３３のいずれか１項に記載の第１のユーザ装置。
【請求項３６】
前記レポート回路（６０６）は、前記第２のユーザ装置（３０４）によって送信された前記参照信号に関する前記測定の完了によってレポートするトリガ型であるようにさらに構成されるか、周期的にレポートするように構成されるか、または、事前構成された閾値を超える前記測定の前記結果によってレポートするイベントトリガ型である、請求項２８から３５のいずれか１項に記載の第１のユーザ装置。
【請求項３７】
前記第１のユーザ装置（３０２）は、Ｄ２Ｄ通信能力を有しており、前記無線ネットワークノード（３０６）に能力情報をレポートするように構成された能力レポート回路（６０２）を備え、前記能力情報は、前記第２のユーザ装置（３０４）によって送信された前記参照信号に関する少なくとも１つの測定を、前記第１のユーザ装置（３０２）が実行することができることを示す、請求項２８から３６のいずれか１項に記載の第１のユーザ装置。
【請求項３８】
前記第１のユーザ装置（３０２）がＤ２Ｄ通信能力を有しており、前記第１のユーザ装置（３０２）は、
前記無線ネットワークノード（３０６）のアップリンクリソース上で、Ｄ２Ｄ通信能力を有する前記ユーザ装置（３０４）と通信するように構成された通信回路（６０４）をさらに備える、請求項２９に記載の第１のユーザ装置。
【請求項３９】
前記第１のユーザ装置（３０２）がＤ２Ｄ通信能力を有しており、前記第１のユーザ装置（３０２）は、
前記無線ネットワークノード（３０６）によって割り当てられたアップリンクまたはダウンリンクのリソース上で、Ｄ２Ｄ通信能力を有する前記第２のユーザ装置（３０４）と通信するように構成された通信回路（６０４）をさらに備える、請求項２９に記載の第１のユーザ装置。
【請求項４０】
前記第１のユーザ装置（３０２）は、Ｄ２Ｄ通信能力を有しておらず、前記無線ネットワークノード（３０６）に能力情報をレポートするように構成された能力レポート回路（６０２）を備え、前記能力情報は、Ｄ２Ｄ通信能力を有する前記第２のユーザ装置（３０４）によって送信された前記参照信号に関する少なくとも１つの測定を、第１のユーザ装置（３０２）が実行することができることを示す、請求項２９に記載の第１のユーザ装置。
【請求項４１】
前記第１のユーザ装置（３０２）は、Ｄ２Ｄ通信能力を有しておらず、前記複数の第２のユーザ装置（３０４）の１つは、ダウンリンクリソース上での通信についてＤ２Ｄ通信能力を有しており、前記実行回路（６０５）は、前記無線ネットワークノード（３０６）から送信された参照信号に関する追加的測定を実行するようにさらに構成され、前記第１のユーザ装置（３０２）は、
ダウンリンクリソース上での通信についてＤ２Ｄ通信能力を有する前記第２のユーザ装置（３０４）によって送信された前記参照信号に関する前記測定の前記結果と、前記無線ネットワークノード（３０６）によって送信された前記参照信号に関する前記追加的測定の前記結果とを比較するように構成された比較回路（６０７）をさらに備え、
前記レポート回路（６０６）は、前記比較の前記結果を前記無線ネットワークノード（３０６）にレポートするようにさらに構成される、請求項２９に記載の第１のユーザ装置。
【請求項４２】
前記参照信号は、サウンディング参照信号（ＳＲＳ）、復調参照信号（ＤＭＲＳ）、任意のパイロット信号、または既定の信号である、請求項２８から４１のいずれか１項に記載の第１のユーザ装置。
【請求項４３】
通信ネットワーク（３００）内のＤ２Ｄ通信のためのリソース割り当てを制御する無線ネットワークノード（３０６）であって、
前記通信ネットワーク（３００）は、前記無線ネットワークノード（３０６）、Ｄ２Ｄ通信能力を有する第１のユーザ装置（３０２）と、Ｄ２Ｄ通信能力を有しない第２のユーザ装置（３０４）とを備え、前記無線ネットワークノード（３０６）は、
参照信号を送信するように前記第２のユーザ装置（３０４）を構成するように構成された構成回路（８０１）と、
前記第２のユーザ装置（３０４）に関する構成情報を前記第１のユーザ装置（３０２）に送信するように構成された送信回路（８０２）と、
前記第２のユーザ装置（３０４）によって送信された前記参照信号に関する、前記第１のユーザ装置（３０２）によって実行された測定の結果を受信するように構成された受信回路（８０３）と、
前記測定の前記結果に基づいて、２つのＤ２Ｄ可能なユーザ装置の間のＤ２Ｄ通信のための１つ以上の無線オペレーションタスクを実行するように構成される実行回路（８０４）と
を備える無線ネットワークノード（３０６）。
【請求項４４】
通信ネットワーク（３００）内のＤ２Ｄ通信のためのリソース割り当てを制御する無線ネットワークノード（３０６）であって、
前記通信ネットワーク（３００）は、前記無線ネットワークノード（３０６）、第１のユーザ装置（３０２）と、少なくとも２つの第２のユーザ装置（３０４）とを備え、前記第２のユーザ装置（３０４）の１つはＤ２Ｄ通信能力を有しており、前記第２のユーザ装置（３０４）の１つはＤ２Ｄ通信能力を有しておらず、前記無線ネットワークノード（３０６）は、
参照信号を送信するように前記第２のユーザ装置（３０４）の各々を構成するように構成された構成回路（８０１）と、
前記第２のユーザ装置（３０４）に関する構成情報を前記第１のユーザ装置（３０２）に送信するように構成された送信回路（８０２）と、
前記第２のユーザ装置（３０４）の各々によって送信された前記参照信号に関する、前記第１のユーザ装置（３０２）によって実行された測定の結果を受信するように構成された受信回路（８０３）と、
前記測定の前記結果に基づいて、２つのＤ２Ｄ可能なユーザ装置の間のＤ２Ｄ通信のための１つ以上の無線オペレーションタスクを実行するように構成される実行回路（８０４）と
を備える無線ネットワークノード（３０６）。
【請求項４５】
前記実行回路（８０４）は、
Ｄ２Ｄ通信およびセルラ通信のための周波数領域および時刻領域のスケジューリングを行い、および／または
アップリンク伝送のためのアンテナモードを選択し、および／または
前記第２のユーザ装置（３０４）のためにトランスポートフォーマットを適応させ、および／または
前記第２のユーザ装置（３０４）の送信電力を制御し、および／または
前記第２のユーザ装置（３０４）のためのセル変更を実行し、および／または
前記通信ネットワーク（３００）内部の無線リソースを管理する
ように構成される、請求項４３又は４４に記載の無線ネットワークノード（３０６）。
【請求項４６】
前記送信回路（８０２）は、ブロードキャストパラメータまたは特定の信号方式を前記第２のユーザ装置（３０４）に用いることによって、前記第２のユーザ装置（３０４）に構成情報を送信するようにさらに構成される、請求項４３から４５のいずれか１項に記載の無線ネットワークノード（３０６）。
【請求項４７】
前記構成回路（８０１）は、帯域幅の一部、または全体帯域幅を通じて前記参照信号を送信するように前記第２のユーザ装置（３０４）を構成するようにさらに構成された請求項４３から４６のいずれか１項に記載の無線ネットワークノード（３０６）。
【請求項４８】
前記構成回路（８０１）は、前記参照信号帯域幅、前記参照信号の期間および／または周期性、サブフレーム内部の参照位置、Ｚａｄｏｆｆ−Ｃｈｕシーケンスのための循環シフト、および／または前記第２のユーザ装置（３０４）のホッピングシーケンス情報を構成するようにさらに構成される、請求項４６に記載の無線ネットワークノード（３０６）。
【請求項４９】
前記構成回路（８０１）は、前記第２のユーザ装置（３０４）の送信タイミングアドバンスを構成するようにさらに構成される、請求項４３から４８のいずれか１項に記載の無線ネットワークノード（３０６）。
【請求項５０】
前記送信回路（８０２）は、前記第２のユーザ装置（３０４）に関するタイミングアドバンス情報を前記第１のユーザ装置（３０２）に送信するようにさらに構成される、請求項４３から４９のいずれか１項に記載の無線ネットワークノード（３０６）。
【請求項５１】
前記無線ネットワークノード（３０６）は、
前記第２のユーザ装置（３０４）によって送信された前記参照信号の受信電力、受信干渉、および／またはビット誤り率に関する特定の測定を実行するように前記第１のユーザ装置（３０２）にリクエストするように構成されたリクエスト回路（８０５）
をさらに備える、請求項４３から５０のいずれか１項に記載の無線ネットワークノード（３０６）。
【請求項５２】
前記送信回路（８０２）は、前記通信ネットワーク（３００）内に備えられた、１つ以上の他の無線ネットワークノード（３０６）に対して、または１つ以上のネットワークノード（３１０）に対して前記測定の前記結果を送信するようにさらに構成され、これにより前記１つ以上の他の無線ネットワークノード（３０６）または前記１つ以上のネットワークノード（３１０）が、１つ以上のネットワークオペレーションタスクのために前記測定結果を用いるようにする、請求項４３から５１のいずれか１項に記載の無線ネットワークノード（３０６）。
【請求項５３】
前記ネットワークノード（３１０）は、オペレーション支援システム（ＯＳＳ）ノード、自己組織ネットワーク（ＳＯＮ）ノード、運転テスト最小化（ＭＤＴ）、オペレーションおよびメンテナンス（Ｏ＆Ｍ）ノード、ネットワーク監視ノード、ネットワーク管理ノード、ネットワーク計画ノード、基幹回線網ノード、測位ノード、集中型ノード、またはネットワーク制御ノードであり、前記ネットワークノード（３１０）は、ネットワーク計画、ネットワーク監視、ネットワーク管理、またはネットワーク・オペレーショナル・パラメータのチューニングなどの、１つ以上のネットワークオペレーションタスクを実行するように構成される、請求項５２に記載の無線ネットワークノード（３０６）。
【請求項５４】
前記参照信号は、サウンディング参照信号（ＳＲＳ）、復調参照信号（ＤＭＲＳ）、任意のパイロット信号、または既定の信号である、請求項４３から５３のいずれか１項に記載の無線ネットワークノード（３０６）。
【発明の詳細な説明】
【技術分野】
【０００１】
本明細書における実施形態は、ユーザ装置および無線ネットワークノード、ならびにその方法に関する。特に、本明細書における実施形態は、通信ネットワーク内の装置間（ｄｅｖｉｃｅ−ｔｏ−ｄｅｖｉｃｅ（Ｄ２Ｄ））通信のためのリソース割り当てに関する。
【背景技術】
【０００２】
ユーザ装置（Ｕｓｅｒ  Ｅｑｕｉｐｍｅｎｔ（ＵＥ））などの通信装置は、無線通信ネットワークにおいて無線で通信することができる。無線通信ネットワークは、時として、無線通信システム、セルラ無線システム、またはセルラシステムと呼ばれる。通信は、無線通信ネットワーク内に備えられた無線アクセスネットワーク（ＲＡＮ）および場合によって１つ以上の基幹回線網を介して、例えば、２つのユーザ装置の間、ユーザ装置と通常の電話機との間、および／またはユーザ装置とサーバとの間で実行されてもよい。
【０００３】
ユーザ装置は、また、いくつかの例を挙げるだけでも、例えば、モバイル端末、無線端末および／または移動局、携帯電話、セルラ電話、または無線機能を持つラップトップとしても知られている。現在の状況におけるユーザ装置は、別の主体と、ＲＡＮを介して、音声および／またはデータを通信することができる、例えば、携帯モバイル装置、ポケットに収容可能なモバイル機器、ハンドヘルド型モバイル機器、コンピュータに備えられたモバイル機器、または車載モバイル機器であってもよい。
【０００４】
無線通信ネットワークは、セルエリアに分割される地理的エリアをカバーする。ここで、各セルエリアは、基地局（Ｂａｓｅ  Ｓｔａｔｉｏｎ（ＢＳ））などのネットワークノードによってサーブされる。基地局（ＢＳ）は、用いられる技術用語および専門用語によって、例えばｅＮＢ、ｅＮｏｄｅＢ、ＮｏｄｅＢ、Ｂ  Ｎｏｄｅ、または基地局（Ｂａｓｅ  Ｔｒａｎｓｃｅｉｖｅｒ  Ｓｔａｔｉｏｎ（ＢＴＳ））と時として呼ばれ得る、例えば無線基地局（Ｒａｄｉｏ  Ｂａｓｅ  Ｓｔａｔｉｏｎ（ＲＢＳ））である。基地局は、送信電力およびセルサイズにも基づく、例えば、マクロｅＮｏｄｅＢ、ホームｅＮｏｄｅＢ、ピコ基地局などの異なるクラスであってもよい。セルは、基地局サイトにおいて基地局によって無線カバレッジが提供される地理的エリアである。基地局サイト上に位置する１つの基地局は、１つまたはいくつかのセルをサーブすることができる。さらに、各基地局は、１つまたはいくつかの無線アクセス技術および通信技術をサポートすることができる。基地局は、無線周波数で動作する無線インタフェースを通じて、基地局の範囲内のユーザ装置と通信する。
【０００５】
いくつかのＲＡＮにおいて、いくつかの基地局は、例えば陸線またはマイクロ波によって、無線ネットワークコントローラ、例えば、ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ））内の無線ネットワークコントローラ（Ｒａｄｉｏ  Ｎｅｔｗｏｒｋ  Ｃｏｎｔｒｏｌｌｅｒ（ＲＮＣ））に、および／または互いに接続されてもよい。時として基地局制御装置（Ｂａｓｅ  Ｓｔａｔｉｏｎ  Ｃｏｎｔｒｏｌｌｅｒ（ＢＳＣ））とも称される、例えばＧＳＭにおける無線ネットワークコントローラは、無線ネットワークコントローラに接続された複数の基地局の様々な動作を監視し、調整することができる。ＧＳＭは、グローバル移動体通信システム（元来は、デジタルセル式電話システム（Ｇｒｏｕｐｅ  Ｓｐｅｃｉａｌ  Ｍｏｂｉｌｅ））の略語である。
【０００６】
この開示との関連において、語句ダウンリンク（ＤＬ）は、基地局から移動局までの伝送パスに用いられる。語句アップリンク（ＵＬ）は、反対方向、すなわち、移動局から基地局までの伝送パスに用いられる。
【０００７】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ（３ＧＰＰ））ロング・ターム・エボリューション（Ｌｏｎｇ  Ｔｅｒｍ  Ｅｖｏｌｕｔｉｏｎ（ＬＴＥ））において、基地局は、１つ以上の基幹回線網に直接接続されてもよい。基地局は、ｅＮｏｄｅＢｓどころかｅＮＢｓとも呼ばれ得る。
【０００８】
ＵＭＴＳは、ＧＳＭから進化した第３世代移動通信システムであり、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ（ＷＣＤＭＡ））アクセス技術に基づいて改善された移動通信サービスを提供することを意図する。ＵＭＴＳターミナル地上無線接続網（ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ））は、実質的に、ユーザ装置のための広帯域符号分割多元接続を用いた無線アクセスネットワークである。３ＧＰＰは、ＵＴＲＡＮおよびＧＳＭ系の無線アクセスネットワーク技術をさらに発展させることを試みた。
【０００９】
３ＧＰＰ／ＧＥＲＡＮによれば、ユーザ装置は、アップリンク方向およびダウンリンク方向の最大転送レートを決定するマルチスロットクラスを有する。ＧＥＲＡＮは、ＧＳＭ／ＥＤＧＥ無線アクセスネットワークの略語である。ＥＤＧＥは、さらに、ＧＳＭの進化のために改善されたデータレートの略語である。
【００１０】
ユーザ装置の電源が入れられる場合、ユーザ装置は、初期セル選択手順を起動する。初期セル選択手順の目的は、可能な限り速くユーザ装置がサービスに入ることを保証することである。ユーザ装置は、適切なセルを発見するその能力によってＥ−ＵＴＲＡバンド内のすべての無線周波数（ＲＦ）チャネルをスキャンするために、この手順を用いる。適切なセルとは、無線測定ベースの基準、例えば、参照信号受信電力（Ｒｅｆｅｒｅｎｃｅ  Ｓｉｇｎａｌ  Ｒｅｃｅｉｖｅｄ  Ｐｏｗｅｒ（ＲＳＲＰ））および他の基準の組み合わせであって、例えば、ユーザ装置をキャンプオン（ｃａｍｐ  ｏｎ）させる公衆陸上移動網（Ｐｕｂｌｉｃ  Ｌａｎｄ  Ｍｏｂｉｌｅ  Ｎｅｔｗｏｒｋ（ＰＬＭＮ））に属するセルである。
【００１１】
一旦ユーザ装置が適切なセルにキャンプオンすれば、ユーザ装置は、キャンプオンするために最良のセルを検索し続ける。この手順は、セル再選択と呼ばれる。その目的は、セルランキング基準と呼ばれる基準のいくつかの所定の組の観点から、ユーザ装置が最良のセルを常にキャンプオンすることを保証することである。おおまかに言えば、セル再選択は、ユーザ装置がシステムブロードキャスト情報を連続的に受信し、そのＰＬＭＮのカバレージエリア内に連続的に呼び出され得ることを保証する基本的なアイドルモードモビリティ手順である。セル再選択は、また、ページ移動を１回保証し、ユーザ装置は、優れたカバレッジを提供するセルにおける接続モードに入ることになる。
【００１２】
ハンドオーバとは、継続中の通話またはデータセッションの、基幹回線網に接続された１つのチャネルから別のチャネルへの転送である。
【００１３】
セル変更という語は、ユーザ装置が無線通信アクセス技術間（ＲＡＴ間）、例えば、ＧＥＲＡＮとＷＣＤＭＡネットワークとの間のハンドオーバを実行する場合のモビリティを記述するために用いられる。いくつかのネットワークにおいて、このようなＲＡＴ間のセル変更は、以前のネットワークになお接続される間も、次のネットワークのシステム情報を送信することによってサポートされ、それによってＲＡＴ間モビリティ手順を容易にする。セル変更とは、また、セル（再）選択およびハンドオーバ手順などのアイドルおよび接続モードモビリティのコレクションであってもよいが、また、セル変更は、ＲＡＴ間および周波数間モビリティのケースを含んでもよい。
【００１４】
セルラインフラストラクチャの下層にあるネットワーク支援の装置間（Ｄ２Ｄ）通信において、他の各々に接近するユーザ装置は、装置間リンクまたは伝送路とも呼ばれるダイレクト無線リンクを確立してもよい。この説明において、装置間（ｄｅｖｉｃｅ−ｔｏ−ｄｅｖｉｃｅ）という語は、Ｄ２Ｄと呼ばれることになる。ネットワーク支援Ｄ２Ｄ通信は、時として、セルラ無線アクセスネットワークの下層にあるネットワークＤ２Ｄ通信、または略称としてＲＡＮ下層Ｄ２Ｄとも呼ばれる。
【００１５】
ユーザ装置がＤ２Ｄリンクを通じて通信している間に、ユーザ装置は、また、それぞれのサービング・ネットワーク・ノード（すなわちサービング基地局）とのセルラ接続を維持する。そのように、セルラＲＡＮは、ユーザ装置がＤ２Ｄリンクのためのセルラリソースを割り当てるのを支援し監視してもよい。セルラリソースを割り当ては、例えば、モード選択、送信するユーザ装置に最大パワーレベルを示すこと、およびセルラユーザ装置または基地局からの干渉から概してＤ２Ｄリンクを保護することを含む。同様に、セルラＲＡＮは、伝送中のＤ２Ｄユーザ装置によってもたらされる有害な干渉からセルラ通信リンクを保護する手段を有する。セルラ通信リンクは、本明細書では時としてセルラ伝送路とも呼ばれる。
【００１６】
図１は、従来技術による、ＲＡＮ内のネットワーク支援Ｄ２Ｄ通信のシナリオを概略的に示す。Ｄ２Ｄ通信可能なユーザ装置Ａ（ＵＥ−Ａ）は、第１のネットワークノード、例えばサービング基地局（ｅＮＢ−Ａ）に接続され、Ｄ２Ｄ通信可能なユーザ装置Ｂ（ＵＥ−Ｂ）は、第２のネットワークノード、例えばサービング基地局（ｅＮＢ−Ｂ）に接続される。この例において、ＲＡＮは、ユーザ装置ＵＥ−ＡおよびＵＥ−Ｂと、第１および第２のネットワークノード（ｅＮＢ−Ａ、ｅＮＢ−Ｂ）と、セルラ接続、例えばそれぞれのサービング・ネットワーク・ノード（ｅＮＢ−ＡおよびｅＮＢ−Ｂ）とのセルラリンクを有するセルラユーザ装置ＵＥ−１およびＵＥ−２とを備える。さらに、ユーザ装置Ａおよびユーザ装置Ｂは、互いに近接する。このようなケースにおいて、ＲＡＮは、ユーザ装置Ａ、Ｂが通信するＤ２Ｄリンクを確立するために、ユーザ装置Ａ、Ｂを支援してもよい。
【００１７】
この説明で用いられる、互いに近接するユーザ装置は、１００〜１５０ｍの距離内に互いに位置するように意図されたユーザ装置である。しかしながら、ライセンスを受けたスペクトルバンドで通信し、その結果として、高い電力レベル（２４ｄＢｍ）で送信することを可能にされた装置は、ある伝搬条件の下で、さらに長い距離にわたって、例えば１０００ｍまでの距離にわたって、互いにデータを発見し伝送することができる。
【００１８】
ユーザ装置Ａ、ＢがＤ２Ｄリンクを通じて通信する間、ユーザ装置Ａ、Ｂは、また、それぞれのサービング基地局ｅＮＢ−Ａ、ｅＮＢ−Ｂとのセルラ接続を維持する（図１参照）。このように、セルラＲＡＮは、ユーザ装置Ａ、ＢにＤ２Ｄリンクのためのセルラリソースを割り当てること、送信するユーザ装置に最大パワーレベルを示すこと、およびセルラユーザ装置または基地局からの干渉から概してＤ２Ｄリンクを保護することとを含む、支援を実施する。ネットワーク支援Ｄ２Ｄ通信のための基本的な原理は、セルラスペクトラムを利用するユーザ装置間の短距離の直接通信を可能にすることである。
【００１９】
図２は、Ｄ２Ｄ通信機能を持つユーザ装置２０２と、Ｄ２Ｄ通信機能を持たないユーザ装置２０４と、無線ネットワークノード２０６とを備える通信ネットワークの一部を概略的に示す。無線ネットワークノード２０６は、セル２０８を形成する少なくとも１つの地理的エリア上の無線カバレッジを提供する。
【００２０】
Ｄ２Ｄ通信能力を持つユーザ装置２０２は、本明細書においてＤ２Ｄが可能なユーザ装置２０２と時として呼ばれる。また、Ｄ２Ｄ通信機能を持たないユーザ装置２０４は、本明細書においてセルラユーザ装置２０４および／または旧式のユーザ装置２０４と時として呼ばれる。
【００２１】
さらに、図２は、セルラユーザ装置２０４とＤ２Ｄ機能を有するユーザ装置２０２との間の典型的な共存シナリオを概略的に示す。概略的に示されるように、ユーザ装置２０２−１は、第１のＤ２Ｄペア（Ｄ２Ｄペア１）を構成し、ユーザ装置２０２−２は、第２のＤ２Ｄペア（Ｄ２Ｄペア２）を構成し、ユーザ装置２０２−３は、第３のＤ２Ｄペア（Ｄ２Ｄペア３）を構成する。
【００２２】
このシナリオにおいて、Ｄ２Ｄペアのユーザ装置２０２間のＤ２Ｄリンクが、アップリンクスペクトラムリソースを用いると想定される。そのような場合、Ｄ２Ｄペア内のユーザ装置２０２の１つの受信器（図示せず）は、セルラユーザ装置２０４からの送信から干渉の影響を受けるかもしれない。その一方で、ネットワークノード２０６は、Ｄ２Ｄペア内のユーザ装置２０２の１つの送信器（図示せず）からの送信から干渉の影響を受けるかもしれない。
【００２３】
３ＧＰＰ  ＬＴＥおよびＬＴＥ高度ネットワークなどの既存の進化するセルラーネットワークに、Ｄ２Ｄ通信可能なユーザ装置が徐々に導入されると期待される。
【００２４】
Ｄ２Ｄペアのユーザ装置２０２間のＤ２Ｄ通信リンクに用いられるリソースは、それぞれのサービング・ネットワーク・ノード２０６と通信するためのセルラで旧式のユーザ装置２０４によって用いられるリソースと部分的にオーバラップするかもしれない。
【００２５】
図２に概略的に示すように、Ｄ２ＤペアのＤ２Ｄリンクがアップリンクリソースを割り当てられるときに、３つのタイプの干渉状況は生じるかもしれない。
【００２６】
タイプ１の干渉は、受信中のＤ２Ｄ通信可能なユーザ装置２０２に対して干渉を引き起こす、ＵＬリソース内で送信中のセルラユーザ装置２０４の送信によって引き起こされる。
【００２７】
タイプ２の干渉は、他のＤ２Ｄペアで受信中のＤ２Ｄが可能なユーザ装置２０２に対して干渉を引き起こす、Ｄ２Ｄ通信可能かつＵＬリソース内で送信中のユーザ装置２０２によって引き起こされる。
【００２８】
タイプ３の干渉は、無線ネットワークノード２０６に対して干渉を引き起こす、Ｄ２Ｄ通信可能かつＵＬリソース内で送信中のユーザ装置２０２によって引き起こされる。
【００２９】
既存のセルラシステムにおいて、セルラユーザ装置は、ダウンリンク無線特性の物理層測定を行うように要求される。このような測定は、とりわけＲＡＮ内でなされる各種ハンドオーバの決定のために、典型的には、上位層に対してレポートされ、様々な目的に用いられる。また、それらの測定は、キャリアアグリゲーションとしても知られている、マルチキャリア方式内のプライマリセル（Ｐｒｉｍａｒｙ  Ｃｅｌｌ（ＰＣｅｌｌ））またはプライマリ・コンポーネント・キャリア（Ｐｒｉｍａｒｙ  Ｃｏｍｐｏｎｅｎｔ  Ｃａｒｒｉｅｒ（ＰＣＣ））の変更など、他のモビリティ機能に用いられる。測定は、また、アイドル状態または低動作状態において、セル選択（すなわち初期のセル選択、セル再選択）を実行するためにセルラユーザ装置によって自主的に用いられる。
【００３０】
セルラユーザ装置によって実行される物理層測定は、典型的には、信号強度測定（例えばＬＴＥ内の参照信号受信電力（ＲＳＲＰ）の測定）または信号品質測定（例えばＬＴＥ内の参照信号受信品質（ＲＳＲＱ）の測定）のタイプである。ＲＳＲＰおよびＲＳＲＱの測定は、相対的な測定量に加えて絶対的な測定量であってもよい。
【００３１】
絶対測定に関しては、ＲＳＲＰおよびＲＳＲＱが、１つのセルから、例えば、サービングセルまたは隣接セルから測定される。ユーザ装置は、絶対測定結果を周期的にレポートしてもよい。但し、サービングセルまたは隣接セルからの絶対測定も、ユーザ装置によって閾値と比較されてもよい。閾値は、ネットワークによって構成されてもよいが、事前に規定されてもよい。比較結果は、イベントの観点からユーザ装置によってレポートされてもよく、例えば、隣接セルＲＳＲＱがＸｄＢの閾値より上である場合、ユーザ装置は、イベントをレポートしてもよい。ここで、Ｘは２〜６ｄＢの間の値であってもよい。
【００３２】
イベントは、ある条件を満たす場合に、ユーザ装置によってネットワークに対して送信される測定レポートの形式であってもよい。例えば、前述のように、隣接セルＲＳＲＱが、閾値ＸｄＢ（例えば２ｄＢ）より上である場合、ユーザ装置は、イベントをレポートする。
【００３３】
相対測定は、サービングセルおよび隣接セル上で行われる測定を互いに比較することによって得られてもよい。サービングセルの比較結果および隣接セル測定結果も、また、イベントの観点からユーザ装置によってレポートされてもよい。例えば、サービングセルＲＳＲＱと比較された隣接セルＲＳＲＱが閾値ＹｄＢより上である場合、ユーザ装置は、イベントをレポートしてもよい。ここで、Ｙは、２〜４ｄＢの間の値であってもよい。
【００３４】
図２に示すように、無線ネットワークノード２０６が、Ｄ２Ｄ通信のためのリソース、例えば物理リソースブロック（Ｐｈｙｓｉｃａｌ  Ｒｅｓｏｕｒｃｅ  Ｂｌｏｃｋｓ（ＰＲＢ）をスケジューリングすることができ、Ｄ２Ｄ通信可能な送信ユーザ装置２０２の最大送信電力を設定するために、無線ネットワークノード２０６は、Ｄ２Ｄ通信可能な受信ユーザ装置２０２にてセルラユーザ装置２０４によって引き起こされる干渉に関する認識または少なくとも推定を有し、セルラユーザ装置２０４とＤ２Ｄ通信可能な受信ユーザ装置２０２との間の経路損失に関する認識または少なくとも推定を有する必要がある。
【００３５】
従来技術システムの短所は、Ｄ２Ｄ通信可能な受信ユーザ装置２０２にて引き起こされる干渉に関する、またはセルラユーザ装置２０４とＤ２Ｄ通信可能な受信ユーザ装置２０２との間の経路損失に関する情報不足である。
【発明の概要】
【００３６】
本明細書における実施形態の目的は、通信ネットワークの性能を向上させる方法を提供することである。
【００３７】
本明細書における実施形態の第１の態様によれば、目的は、装置間、Ｄ２Ｄ、通信ネットワーク内の通信のためのリソース割り当てを支援するために第２のユーザ装置によって送信された参照信号に関する測定を実行するための、第１のユーザ装置内の方法によって実現される。第１および第２のユーザ装置の少なくとも１つは、第１のＤ２Ｄ可能なユーザ装置である。第１のユーザ装置、第２のユーザ装置、および無線ネットワークノードは、通信ネットワーク内に備えられる。
【００３８】
第１のユーザ装置は、無線ネットワークノードから構成情報を受信し、構成情報は、第２のユーザ装置によって送信された参照信号に関する。さらに、第１のユーザ装置は、第２のユーザ装置によって送信された参照信号に関する測定を実行し、測定は、受信される構成情報に基づく。その後、第１のユーザ装置は、実行された測定の結果を無線ネットワークノードにレポートする。
【００３９】
本明細書における実施形態の第２の態様によれば、目的は、通信ネットワーク内のＤ２Ｄ通信のためのリソース割り当てを支援するために第２のユーザ装置によって送信された参照信号に関する測定を実行するための第１のユーザ装置によって実現される。第１および第２のユーザ装置の少なくとも１つは、第１のＤ２Ｄ可能なユーザ装置である。さらに、第１のユーザ装置、第２のユーザ装置、および無線ネットワークノードは、通信システム内に備えられる。
【００４０】
第１のユーザ装置は、無線ネットワークノードから構成情報を受信するように構成された受信回路を備え、構成情報は、第２のユーザ装置によって送信された参照信号に関する。さらに、第１のユーザ装置は、第２のユーザ装置によって送信された参照信号に関する測定を実行するように構成された実行回路を備え、測定は、受信される構成情報に基づく。第１のユーザ装置は、実行された測定の結果を無線ネットワークノードにレポートするように構成されたレポート回路をさらに備える。
【００４１】
本明細書における実施形態の第３の態様によれば、目的は、通信ネットワークにおけるＤ２Ｄ通信のためのリソース割り当てを制御するための無線ネットワークノード内の方法によって実現される。通信ネットワークは、無線ネットワークノードと、第１のユーザ装置と、第２のユーザ装置とを備え、第１および第２のユーザ装置の少なくとも１つは、第１のＤ２Ｄ可能なユーザ装置である。
【００４２】
無線ネットワークノードは、参照信号を送信し、且つ第２のユーザ装置に関する構成情報を第１のユーザ装置に送信する第２のユーザ装置を構成する。さらに、無線ネットワークノードは、第２のユーザ装置によって送信される参照信号に関する測定の結果を受信し、送信された参照信号に関する測定は、第１のユーザ装置によって実行される。その後、無線ネットワークノードは、測定の結果に基づいて、第１のＤ２Ｄ可能なユーザ装置と第２のＤ２Ｄ可能なユーザ装置との間のＤ２Ｄ通信のための１つ以上の無線オペレーションタスクを実行する。
【００４３】
本明細書における実施形態の第４の態様によれば、目的は、通信ネットワーク内のＤ２Ｄ通信のためのリソース割り当てを制御するために無線ネットワークノードによって実現される。通信ネットワークは、無線ネットワークノードと、第１のユーザ装置と、第２のユーザ装置とを備え、第１および第２のユーザ装置の少なくとも１つは、第１のＤ２Ｄ可能なユーザ装置である。
【００４４】
無線ネットワークノードは、第２のユーザ装置が参照信号を送信するよう構成するように構成された構成回路と、第２のユーザ装置に関する構成情報を第１のユーザ装置に送信するように構成された送信回路とを備える。さらに、無線ネットワークノードは、第２のユーザ装置によって送信された参照信号に関する測定の結果を受信するように構成された受信回路を備え、送信された参照信号に関する測定は、第１のユーザ装置によって実行される。無線ネットワークノードは、測定の結果に基づいて第１のＤ２Ｄ可能なユーザ装置と第２のＤ２Ｄ可能なユーザ装置との間のＤ２Ｄ通信のための１つ以上の無線オペレーションタスクを実行するように構成された実行回路をさらに備える。
【発明の効果】
【００４５】
第１のユーザ装置が第２のユーザ装置によって送信された参照信号に関する測定を実行するように構成され、第１および第２のユーザ装置の少なくとも１つは、第１のＤ２Ｄ可能なユーザ装置であるので、第１のユーザ装置が無線ネットワークノードに測定結果をレポートするように構成されるので、および、無線ネットワークノードが測定結果に基づいて第１のＤ２Ｄ可能なユーザ装置と第２のＤ２Ｄ可能なユーザ装置との間のＤ２Ｄ通信のための１つ以上の無線オペレーションタスクを実行するように構成されるので、無線ネットワークノードは、通信ネットワーク内のＤ２Ｄ通信のためのリソース割り当てを制御することができる。これは、旧式でセルラのユーザ装置とＤ２Ｄ通信可能なユーザ装置との共存を可能にすることによって、通信ネットワーク内の改善された性能をもたらす。
【００４６】
本明細書における実施形態の有利性は、無線ネットワークノードが無線ネットワークオペレーションタスクを実行することができ、特に、セルラ層とＤ２Ｄ層との間の有害な干渉レベルが回避されるこのような方法において、旧式でセルラのユーザ装置とＤ２Ｄ通信可能なユーザ装置の両方のためのリソースをスケジューリングし、割り当てることができることである。
【００４７】
本明細書における実施形態のさらなる有利性は、Ｄ２Ｄペアとセルラユーザ装置とが同一の無線リソースを用いてもよいか否かを、無線ネットワークノードが判定してもよいということである。これは、無線ネットワークノードが、セルラユーザ装置との所謂Ｄ２Ｄペアのペアリングを実行してもよいことを意味する。したがって、セルラオペレーションおよびＤ２Ｄオペレーションに対する有害な干渉を引き起こすことなく、無線通信リソース利用効率が改善される。
【００４８】
本明細書における実施形態のさらなる有利性は、無線ネットワークノードが、Ｄ２Ｄ送信電力がＤ２Ｄ通信およびセルラ通信リンクのために適切であるように、Ｄ２Ｄペアの適切な送信電力を決定してもよいということである。送信電力が適当に管理されるので、これは、ひいてはＤ２Ｄペアのバッテリ寿命をセーブする。
【００４９】
実施形態は、以下の図面に関連して、さらに詳細に記述されることになる。
【図面の簡単な説明】
【００５０】
【図１】先行技術の通信ネットワークを示す概略ブロック図である。
【図２】先行技術の通信ネットワークを示す概略ブロック図である。
【図３ａ】通信ネットワークの実施形態を示す概略ブロック図である。
【図３ｂ】通信ネットワークの実施形態を示す概略ブロック図である。
【図３ｃ】通信ネットワークの実施形態を示す概略ブロック図である。
【図４】通信ネットワークの実施形態のフローチャートと信号スキームとの概略組み合わせである。
【図５】第１のユーザ装置における方法の実施形態を表すフローチャートである。
【図６】第１のユーザ装置の実施形態を表すフローチャートである。
【図７】ネットワークノードにおける方法の実施形態を表すフローチャートである。
【図８】ネットワークノードの実施形態を示す概略ブロック図である。
【発明を実施するための形態】
【００５１】
本明細書における実施形態は、以下の非限定的説明に例示されることになる。
【００５２】
図３ａ〜図３ｃは、通信ネットワーク３００の実施形態を概略的に示す。通信ネットワーク３００は、第１のユーザ装置３０２と第２のユーザ装置３０４とを備える。第１のユーザ装置３０２および第２のユーザ装置３０４の１つは、第１のＤ２Ｄ通信可能なユーザ装置であり、第１のＤ２Ｄ通信可能なユーザ装置は、本明細書において、時として第１のＤ２Ｄ可能なユーザ装置と呼ばれる。通信ネットワーク３００は、第３のユーザ装置３０５をさらに備えてもよく、第３のユーザ装置３０５は、Ｄ２Ｄ通信可能である。
【００５３】
図３ａにおいて、第１のユーザ装置３０２は、第１のＤ２Ｄ可能なユーザ装置であり、第２のユーザ装置３０４は、セルラユーザ装置であり、第３のユーザ装置３０５は、第２のＤ２Ｄ可能なユーザ装置である。第１のユーザ装置３０２と第３のユーザ装置３０５との間の矢線は、Ｄ２Ｄ通信リンクが、それらの間に存在してもよいことを概略的に示す。
【００５４】
図３ｂにおいて、第１のユーザ装置３０２は、第１のＤ２Ｄ可能なユーザ装置であり、第２のユーザ装置３０４は、第２のＤ２Ｄ可能なユーザ装置であり、第３のユーザ装置３０５は、第３のＤ２Ｄ可能なユーザ装置である。この例において、Ｄ２Ｄ通信リンクは、第１および第２のユーザ装置３０２、３０４の間に存在してもよい。
【００５５】
図３ｃにおいて、第１のユーザ装置３０２は、セルラユーザ装置であり、第２のユーザ装置３０４は、第１のＤ２Ｄ可能なユーザ装置であり、第３のユーザ装置３０４は、第２のＤ２Ｄ可能なユーザ装置である。第２のユーザ装置３０４と第３のユーザ装置３０５との間の矢線は、Ｄ２Ｄ通信リンクが、それらの間に存在してもよいことを概略的に示す。
【００５６】
ユーザ装置３０２、３０４、３０５は、例えば、モバイル端末または無線ターミナル、携帯電話、例えばラップトップなどのコンピュータ、例えばｉＰａｄ（商標）などのタブレットＰＣ、パーソナル・デジタル・アシスタント（ＰＤＡ）、またはセルラ通信ネットワーク内の無線リンクを通じて通信することが可能な他の無線ネットワークユニットであってもよい。ユーザ装置３０２、３０４、３０５は、３ＧＰＰネットワーク内と非３ＧＰＰネットワーク内の双方で使用するようにさらに構成されてもよい。
【００５７】
通信ネットワーク３００は、第１および第２のユーザ装置３０２、３０４の１つ以上をサーブする無線ネットワークノード３０６をさらに備える。無線ネットワークノード３０６は、セル３０８を形成する少なくとも１つの地理的エリア上の無線カバレッジを提供する。第１および第２のユーザ装置３０２、３０４は、アップリンク（ＵＬ）送信において無線ネットワークノード３０６に無線インタフェースを通じてデータを送信する。また、無線ネットワークノード３０６は、ダウンリンク（ＤＬ）送信においてユーザ装置３０２、３０４にデータを送信する。図示しない他のいくつかのユーザ装置が、それぞれのセル３０８内にあってもよい。
【００５８】
無線ネットワークノード３０６は、ｅＮＢ、ｅＮｏｄｅＢ、ノードＢまたはホームノードＢ、ホームｅＮｏｄｅＢなどの基地局、無線ネットワークコントローラ、基地局制御装置、アクセスポイント、中継ノード（固定式でも移動可能でもよい）、中継をサーブするドナーノード、ＧＳＭ／ＥＤＧＥ無線基地局、マルチスタンダード無線（Ｍｕｌｔｉ−Ｓｔａｎｄａｒｄ  Ｒａｄｉｏ（ＭＳＲ））基地局、またはセルラ通信システム内の第１および第２のユーザ装置３０２、３０４をサーブすることが可能な他のネットワークユニットであってもよい。
【００５９】
本明細書におけるいくつかの実施形態において、上述のような旧式でセルラのユーザ装置の制限にかかわらず、無線ネットワークノード３０６は、Ｄ２Ｄ通信可能な受信ユーザ装置にて引き起こされる干渉に関する情報、またはＤ２Ｄ通信可能なセルラユーザ装置と受信ユーザ装置との間の経路損失に関する情報を取得するように構成される。干渉に関する情報および／または経路損失に関する情報に基づいて、無線ネットワークノード３０６は、下記で述べるように、通信ネットワーク３００内のＤ２Ｄ通信のためのリソースを割り当てることができる。
【００６０】
いくつかの実施形態において、通信ネットワーク３００は、例えば、オペレーション支援システム（Ｏｐｅｒａｔｉｏｎｓ  Ｓｕｐｐｏｒｔ  Ｓｙｓｔｅｍ（ＯＳＳ））ノード、オペレーションおよびメンテナンス（Ｏｐｅｒａｔｉｏｎ  ａｎｄ  Ｍａｉｎｔｅｎａｎｃｅ（Ｏ＆Ｍ））ノード、自己組織ネットワーク（Ｓｅｌｆ  Ｏｒｇａｎｉｚｉｎｇ  Ｎｅｔｗｏｒｋ（ＳＯＮ））ノード、運転テスト最小化（Ｍｉｎｉｍｉｚａｔｉｏｎ  ｏｆ  Ｄｒｉｖｅ  Ｔｅｓｔ（ＭＤＴ））ノード、ネットワーク監視ノード、ネットワーク管理ノード、ネットワーク計画ノード、基幹回線網ノード、測位ノードなどの、ネットワークノード３１０をさらに備える。
【００６１】
ネットワークノード３１０は、ネットワーク計画、ネットワーク監視、ネットワーク管理、またはネットワーク・オペレーショナル・パラメータのチューニングなどの、１つ以上のネットワークオペレーションタスクを実行するように構成されてもよい。
【００６２】
本明細書における実施形態は、通信ネットワーク３００内のＤ２Ｄ通信のためのリソース割り当てに関する。特に、本明細書における実施形態は、第２のユーザ装置３０４によってアップリンク内に送信された参照信号に関する測定を実行し、且つ無線ネットワークノード３０６に測定の結果を送信するように構成された第１のユーザ装置３０２に関する。第１および第２のユーザ装置３０２、３０４の少なくとも１つは、第１のＤ２Ｄ通信可能なユーザ装置である。本明細書における実施形態は、また、受信された測定結果に基づいてＤ２Ｄ通信のためのリソースを割り当てるように構成された無線ネットワークノード３０６に関する。
【００６３】
この説明において、Ｄ２Ｄペアが通信のためのＵＬセルリソース、すなわち周波数分割二重通信（Ｆｒｅｑｕｅｎｃｙ−Ｄｉｖｉｓｉｏｎ  Ｄｕｐｌｅｘｉｎｇ（ＦＤＤ））または半二重通信（Ｈａｌｆ  Ｄｕｐｌｅｘ（ＨＤ））−ＦＤＤにおけるＵＬスペクトラム、時分割二重通信（Ｔｉｍｅ−Ｄｉｖｉｓｉｏｎ  Ｄｕｐｌｅｘｉｎｇ  （ＴＤＤ））内のＵＬサブフレームなどを用いることが想定されるだろう。但し、本説明が、ＵＬリソースがＤ２Ｄ通信のために用いられるケースに限定されないものの、ＤＬリソースがＤ２Ｄ通信のために用いられるケースにも有効であることは、理解されるべきである。
【００６４】
旧式でセルラのユーザ装置から送信されたＵＬ信号と、旧式でセルラのユーザ装置によって用いられるＰＲＢとに関する測定を実行するようにＤ２Ｄ通信可能なユーザ装置を構成することによって、および無線ネットワークノードに測定結果を提供するようにＤ２Ｄ通信可能なユーザ装置を構成することによって、無線ネットワークノードは、Ｄ２Ｄ通信のためのリソース割り当てのために必要とされる干渉に関する情報および／または経路損失に関する情報を取得するように構成される。
【００６５】
Ｄ２Ｄ通信可能なユーザ装置が、また、セルラで旧式のユーザ装置からのＤＬ信号に関する測定を実行するように構成され、無線ネットワークノードに測定結果を提供するように構成されてもよいことは、理解されるべきである。したがって、無線ネットワークノードは、Ｄ２Ｄリンクの管理と、Ｄ２Ｄ通信層およびセルラ通信層の共存とのために、測定結果が効果的に用いられるように、ＤＬおよびＵＬ測定結果を適切に取り扱う必要がある。
【００６６】
図４は、通信ネットワーク３００内のＤ２Ｄ通信のためのリソースを割り当てるためのフローチャートと信号スキームとの概略組み合わせである。
【００６７】
通信ネットワーク３００は、通信ネットワーク３００内に備えられた第２のユーザ装置３０４によって送信された参照信号に関する測定を実行するように構成された第１のユーザ装置３０２を備える。第１および第２のユーザ装置３０２、３０４の１つは、第１のＤ２Ｄ通信可能なユーザ装置である。さらに、通信ネットワーク３００は、第１および第２のユーザ装置３０２、３０４をサーブするように構成された無線ネットワークノード３０６を備える。
【００６８】
通信ネットワーク３００内のＤ２Ｄ通信のためのリソースを割り当てることための動作は、ここで、図４に関連して記述されることになる。以下に明示される順序で動作を実行する必要はないが、任意の適切な順序を採用してもよい。さらに、動作を組み合わせてもよい。
【００６９】
動作４００
第１のユーザ装置３０２は、通信ネットワーク３００内のＤ２Ｄ通信のためのリソース割り当てを支援するために第２のユーザ装置３０４によって送信された参照信号に関する測定を実行することができることをレポートしてもよい。Ｄ２Ｄ通信が通信ネットワーク３００内で用いられるときに、すべての第１のユーザ装置３０２がこのような測定を実行することができるとは限らないので、これが実行されてもよい。これは、動作５００に関連してさらに詳細に以下に記述されることになる。
【００７０】
動作４０１
第２のユーザ装置３０４を構成するために、無線ネットワークノード３０６は、第２のユーザ装置３０４に構成情報を送信する。
【００７１】
構成情報は、無線ネットワークノード３０６に対して参照信号を生成し送信する第２のユーザ装置３０４に必要な情報を備えてもよい。したがって、構成情報は、タイミング情報、サブキャリア情報、用いられる変調シンボルに関する情報、例えばＺａｄｏｆｆ−Ｃｈｕシーケンスおよび／または用いる送信電力に関する情報などを備えてもよい。
【００７２】
構成情報は、例えば一定期間を通じて参照信号を送信するように、例えば、スペクトラムの帯域幅の一部または全部を通じて、すなわち、単一または複数のＰＲＢを通じて、参照信号を送信するように、第２のユーザ装置３０４を構成してもよい。
【００７３】
本明細書において用いられる用語「参照信号（Ｒｅｆｅｒｅｎｃｅ  Ｓｉｇｎａｌ（ＲＳ））」は、プライマリ同期信号（Ｐｒｉｍａｒｙ  Ｓｙｎｃｈｒｏｎｉｚａｔｉｏｎ  Ｓｉｇｎａｌ（ＰＳＳ））、セカンダリ同期信号（Ｓｅｃｏｎｄａｒｙ  Ｓｙｎｃｈｒｏｎｉｚａｔｉｏｎ  Ｓｉｇｎａｌ（ＳＳＳ））、サウンディング参照信号（Ｓｏｕｎｄｉｎｇ  Ｒｅｆｅｒｅｎｃｅ  Ｓｉｇｎａｌ（ＳＲＳ））、復調参照信号（ＤｅＭｏｄｕｌａｔｉｏｎ  Ｒｅｆｅｒｅｎｃｅ  Ｓｉｇｎａｌ（ＤＭＲＳ））、任意のパイロット信号、または既定の信号を表す。
【００７４】
無線ネットワークノード３０６は、第２のユーザ装置３０４に構成情報を送信するために、ブロードキャストパラメータまたはユーザ装置特定信号方式（例えば、無線リソース制御（Ｒａｄｉｏ  Ｒｅｓｏｕｒｃｅ  Ｃｏｎｔｒｏｌ（ＲＲＣ））信号方式などの上位層信号方式）を用いてもよい。それによって、無線ネットワークノード３０６は、例えば、ＲＳによってＵＬチャネルサウンディングのパラメータを構成してもよい。ＲＳパラメータは、ＲＳ帯域幅、ＲＳの期間および周期性、サブフレーム内部のＲＳ位置、Ｚａｄｏｆｆ−Ｃｈｕシーケンスのための循環シフト（例えばルートパラメータ）、および／またはＲＳのためのホッピングシーケンス情報を備えてもよいが、但し、限定はされない。
【００７５】
さらに、無線ネットワークノード３０６は、第２のユーザ装置３０４がＵＬ構成情報を用いて、１つ以上の参照信号を送信するべき時限を示してもよい。時限は、開始時点と終了時点、または開始時点と送信の期間との組み合わせとして表現されてもよい。第２のユーザ装置３０４は、既定のルール上に基づいてＵＬ送信時限を導き出してもよい。例えば、ＵＬ送信を開始する時点は、ＤＬフレームタイミングの機能、例えば、システムフレーム番号、およびオフセットであってもよい。
【００７６】
いくつかの実施形態において、第２のユーザ装置３０４がスケジューリングされるときに、無線ネットワークノード３０６は、ＤＭＲＳの１つ以上のパラメータを構成する。例えば、ＤＭＲＳシーケンスの長さは、物理アップリンク共有チャネル（Ｐｈｙｓｉｃａｌ  Ｕｐｌｉｎｋ  Ｓｈａｒｅｄ  ＣＨａｎｎｅｌ（ＰＵＳＣＨ））送信のために第２のユーザ装置３０４に対して割り当てられたサブキャリアの数に依存してもよい。
【００７７】
さらに、第２のユーザ装置３０４の送信構成の１つ以上は、既定の構成であってもよいし、または、デフォルトの構成であってもよい。そのような場合、無線ネットワークノード３０６によってなされた第２のユーザ装置３０４の構成は、ある時点で既定の構成またはデフォルトの構成の１つを開始するための、無線ネットワークノード３０６から第２のユーザ装置３０４へのリクエストであってもよい。送信のための開始時点は、既定の開始時点であってもよいし、または、無線ネットワークノード３０６によって構成可能な開始時点であってもよい。
【００７８】
動作４０２
第２のユーザ装置３０４が生成する参照信号に関する認識を第１のユーザ装置３０２に持たせるために、無線ネットワークノード３０６は、第２のユーザ装置３０４のための構成情報を第１のユーザ装置３０２に送信する。
【００７９】
セル３０８内の第１および第２のユーザ装置３０２、３０４の数が、低値（例えば１０未満のユーザ装置）である場合、無線ネットワークノード３０６は、専用の信号方式によって第２のユーザ装置３０４のための構成情報を第１のユーザ装置３０２に送信してもよい。例えば、構成情報は「モード選択」信号方式の一部として送信されてもよい。「モード選択」信号方式は周知であるので、ここでは詳細には記述されないことになる。
【００８０】
セル３０８内の第１および第２のユーザ装置３０２および３０４の数が、高値（例えば１０を超えるユーザ装置）である場合、無線ネットワークノード３０６は、第２のユーザ装置３０４のための構成情報のことを第１のユーザ装置３０２に知らせるためにブロードキャスト信号方式またはマルチキャスト信号方式を用いてもよい。Ｄ２Ｄモード選択が何百ミリ秒もの時間規模上にあるので、構成パラメータのブロードキャスティングも、また、その時間規模上（例えば１００ミリ秒）にあってもよい。
【００８１】
参照信号の送信電力密度（Ｐｏｗｅｒ  Ｄｅｎｓｉｔｙ（ＰＤ））は、ＰＵＳＣＨのために割り当てられたＰＤと同一である。したがって、経路損失推定または経路利得推定のために、送信電力は、構成情報の一部として、無線ネットワークノード３０６によって、第１のユーザ装置３０２に認識されることになる。
【００８２】
動作４０３
無線ネットワークノード３０６は、第２のユーザ装置３０４のためのタイミングアドバンス情報を第１のユーザ装置３０２にさらに送信してもよい。第２のユーザ装置３０４のためのタイミングアドバンス情報の受信によって、第１のユーザ装置３０２は、第２のユーザ装置３０４によって送信された１つ以上の参照信号を取得および／またはロックオンしてもよい。送信タイミングアドバンス情報は、第２のユーザ装置３０４のタイミングアドバンス（Ｔｉｍｉｎｇ  Ａｄｖａｎｃｅ（ＴＡ））を備えてもよい。例えば、第２のユーザ装置３０４のＵＬフレームタイミングを認識することによって、第１のユーザ装置３０２は、参照信号に関する測定を実行するために参照信号を通じて直ちに相関し始めてもよい。
【００８３】
さらに、第２のユーザ装置３０４において適用されるタイミングアドバンスは、異なるユーザ装置間の伝搬遅延差を打ち消すことを支援する。さらに、第２のユーザ装置３０４において適用されるタイミングアドバンスは、タイミングアラインメントを決定するために用いられてもよい。タイミングアラインメントは、異なるユーザ装置３０２、３０４間のＵＬ直交性を維持するために必要である。
【００８４】
代替的に、このようなタイミングアドバンス情報が第１のユーザ装置３０２に提供されない場合、第１のユーザ装置３０２は、２つのオプションを有していてもよい。１つのオプションは、第１および第２のユーザ装置３０２、３０４の送信タイミングが同一であると想定することである。これは、既定のルールによるものであってもよいし、または無線ネットワークノード３０６によって明示的に示されてもよい。別のオプションは、動作４０５に記載されるように、既知信号（例えば参照信号）を通じて相関することによって、第２のユーザ装置３０４に第１のユーザ装置３０２を同期させることであってもよい。
【００８５】
動作４０４
無線ネットワークノード３０６は、特定の測定を実行するように第１のユーザ装置３０２にリクエストしてもよい。
【００８６】
いくつかの実施形態において、無線ネットワークノード３０６は、第１のユーザ装置３０２（例えばＤ２Ｄペア内の第１のＤ２Ｄ可能なユーザ装置）に、第２のユーザ装置３０４（例えばセルラユーザ装置）によって送信されたＵＬ参照信号に関して行われる測定のタイプを明示的に示す。例えば、リクエストされる測定は、参照信号の強度（例えば、ＲＳＲＰに類似する）、参照信号の品質（例えば、ＲＳＲＱに類似する）、経路損失、および／またはＵＬチャネル状態情報（例えば、チャネル状態情報（Ｃｈａｎｎｅｌ  Ｓｔａｔｅ  Ｉｎｆｏｒｍａｔｉｏｎ（ＣＳＩ））に類似する）などの測定であってもよい。無線ネットワークノード３０６は、また、第１のＤ２Ｄ可能なユーザ装置３０２によって用いられる付加的な測定構成パラメータを提供してもよい。このような構成パラメータは、例えば、動作４０８の下でさらに詳細に以下に記述されることになる、周期型、イベントトリガ型、イベントトリガ周期型、測定周期型、上位層フィルタリングパラメータおよび／または上位層フィルタリング係数などのレポート機構を含んでもよい。測定構成パラメータが既定のものであってもよいことは理解されるべきである。
【００８７】
動作４０５
第１のユーザ装置３０２は、第２のユーザ装置３０４に同期してもよい。
【００８８】
先に述べたように、タイミングアドバンス情報が提供されない場合、第１のユーザ装置３０２（例えば２Ｄ通信可能な受信ユーザ装置３０２）は、既知信号（例えば参照信号、パイロット信号、サウンディング参照信号など）を通じて相関することによって、第２のユーザ装置３０４に（例えばセルラユーザ装置に）同期してもよい。第１のユーザ装置３０２（例えば第１のＤ２Ｄ可能なユーザ装置）が第２のユーザ装置３０４（例えばセルラユーザ装置）の同期を達成するのを支援する既知信号は、第２のユーザ装置３０４によって一定間隔で送信されてもよい。
【００８９】
ユーザ装置とユーザ装置との間の同期（例えば第２のユーザ装置３０４と第１のユーザ装置３０２との間の同期）によって、時刻（例えばシンボル）同期と周波数同期との双方が意図される。時刻同期は、２つのユーザ装置が送信されたシンボル（例えばＯＦＤＭシンボル）がスタートする正確な時刻を決定することができることを意味する。言いかえれば、２つのユーザ装置は、共通クロックおよび０時点の概念に依存してもよい。周波数同期は、２つのユーザ装置が同一のキャリア周波数およびサブキャリア周波数を用いることを意味する。すなわち、２つのＵＥの間のあらゆるキャリア周波数オフセットが除外される。時刻同期と周波数同期との組み合わせは、２つのユーザ装置が同じ時刻周波数概念を用い、それによって、２つのユーザ装置は、ＰＲＢの同一概念を用いることを意味する。
【００９０】
例えば３ＧＰＰ  ＬＴＥシステムにおいて、ｅＮＢとユーザ装置との間のＤＬ同期は、１つ以上の既定の複合シーケンス（例えばＺａｄｏｆｆ−Ｃｈｕシーケンス）を用いた既定の（プライマリおよびセカンダリ）同期チャネル（Ｐ−ＳＣＨおよびＳ−ＳＣＨ）を用いることによって得られる。ユーザ装置は、そのクロックを同期させ、且つその周波数オフセットを除外するために、１つ以上の既定の複合シーケンスを取り込んで同期してもよい。
【００９１】
動作４０６
第２のユーザ装置３０４は、受信された構成情報にしたがって１つ以上の参照信号を送信する。１つ以上の参照信号は、無線ネットワークノード３０６に対してＵＬにおいて送信されてもよい。
【００９２】
動作４０７
第１のユーザ装置３０２は、無線ネットワークノード３０６に対して第２のユーザ装置３０４によって送信された１つ以上の参照信号に関する測定を実行する。
【００９３】
受信された構成情報および可能な場合はタイミングアドバンス情報により（動作４０２、４０３を参照）、第１のユーザ装置３０２は、第２のユーザ装置３０４によって送信された参照信号に関する測定を実行してもよい。第１のユーザ装置３０２によって実行された測定は、周波数選別スケジューリングを実現するために無線ネットワークノード３０６によって実行された測定に対応してもよい。
【００９４】
ＬＴＥにおいて、無線ネットワークノード３０６によって実行された測定に対応するのは、データを送信するためには用いられないＰＲＢを含む、ＵＬに関するチャネル品質の推定を可能にするために、事前に構成された既知のパラメータとともに送信された参照信号に関する測定である。測定の目的は、ＵＬ周波数スケジューリングをサポートすることであってもよい。無線ネットワークノード３０６は、また、取得したチャネル品質推定を、最近スケジューリングされていないユーザ装置のための向上するＵＬ電源制御または初期の変調・符号化方式（Ｍｏｄｕｌａｔｉｏｎ  ａｎｄ  Ｃｏｄｉｎｇ  Ｓｃｈｅｍｅ（ＭＣＳ））選択、またはデータ伝送のための初期電源制御など、他の目的に用いてもよい。
【００９５】
動作４０８
第１のユーザ装置３０２は、無線ネットワークノード３０６に測定結果をレポートする。これは従来のＵＬ信号方式によって実行されてもよい。例えば、第１のユーザ装置３０２は、ＲＲＣなどの信号プロトコルを用いる、またはメディアアクセス制御（Ｍｅｄｉｕｍ  Ａｃｃｅｓｓ  Ｃｏｎｔｒｏｌ（ＭＡＣ））プロトコル・データ・ユニット（Ｐｒｏｔｏｃｏｌ  Ｄａｔａ  Ｕｎｉｔ（ＰＤＵ））内の無線ネットワークノード３０６に、結果をレポートしてもよい。さらに、第１のユーザ装置３０２は、周期型、イベントトリガ型、イベントトリガ周期型などの既存の機構を用いて、結果をレポートしてもよい。無線ネットワークノード３０６は、特定の機構を用いて結果をレポートするように第１のユーザ装置３０２を構成してもよい。無線ネットワークノード３０６は、また、構成可能なパラメータ（例えば、上位層フィルタリングパラメータ、レポート閾値）、測定が実行される測定帯域幅などを用いることによって結果をレポートするように第１のユーザ装置３０２を構成してもよい。
【００９６】
Ｄ２Ｄ通信を支援するために、第１のユーザ装置３０２は、無線ネットワークノード３０６と同様に機能してもよいが、強力な干渉物である第２のセルラユーザ装置３０４のみをレポートする必要がある。第２のユーザ装置３０４から受信される参照信号に基づいて、第１のユーザ装置３０２は、無線ネットワークノード３０６に対してレポートされる、最も強力なｎ個の第２のユーザ装置３０４を選択してもよい。ここで、ｎは整数（例えばｎ＝３）である。
【００９７】
測定および測定結果のレポートは、既定のルール、または無線ネットワークノード３０６によって行われた構成に基づいてもよい。
【００９８】
第１のユーザ装置３０２は、最も強力な干渉物であるｎ個の第２のユーザ装置３０４からの測定結果を備える表を提供することによって、無線ネットワークノード３０６に対して測定結果を提供してもよい。
【００９９】
いくつかの実施形態において、第１のユーザ装置３０２は、測定結果に関する詳細を伴わずに、無線ネットワークノード３０６に対して最も強力に干渉するｎ個の第２のユーザ装置３０４の同一性のみのリストを提供することによって、無線ネットワークノード３０６に対して測定結果を提供してもよく、それによって信号のオーバヘッドは減少され得る。
【０１００】
さらに、第１のユーザ装置３０２は、受信信号レベル（例えば参照信号の強度、参照信号品質、または経路など）が閾値より上である第２のユーザ装置３０４に対してＫ個の第２のユーザ装置３０４のリストを提供してもよい。閾値は、無線ネットワークノード３０６によって構成可能であってもよいし、または、既定の閾値であってもよい。閾値は、無線ネットワークノード３０６内に備えられた、または無線ネットワークノード３０６に接続された、メモリ内に保存されてもよい。
【０１０１】
第１のユーザ装置３０２から無線ネットワークノード３０６への結果のレポートは、イベントトリガ型、周期型、またはイベントトリガ周期型であってもよい。例えば、第１のユーザ装置３０２は、参照信号に関する測定の完了によって結果をレポートすることを実行するように作動させてもよい。さらに、第１のユーザ装置３０２は、周期的に、例えば所定の時点で、結果をレポートしてもよい。さらに、第１のユーザ装置３０２は、例えば、測定の結果が事前構成された閾値を越えたときにレポートする、イベントトリガ型であってもよい。
【０１０２】
さらに、結果レポートは、無線ネットワークノード３０６によってリクエストされる通りに、ＵＬ帯域幅全体に対して、またはリソースブロック（Ｒｅｓｏｕｒｃｅ  Ｂｌｏｃｋｓ（ＲＢ））の各々のグループに対して別々に（例えばグループごとに１つ以上のＲＢ）、実行されてもよい。
【０１０３】
動作４０９
無線ネットワークノード３０６は、受信された測定結果に基づいてＤ２Ｄ通信のためのリソース割り当てを制御する。
【０１０４】
無線ネットワークノード３０６に関しては、第１のユーザ装置３０２からの測定結果は、モード選択にとって、ならびにスケジューリングおよびリソース割り当てにとって、重要かもしれない。
【０１０５】
Ｄ２Ｄ通信のための候補であるユーザ装置３０２、３０４のモード選択の場合には、無線ネットワークノード３０６は、セルラ層によって引き起こされる干渉が高すぎる場合（例えば過度の「遠近効果」）、Ｄ２Ｄ通信のための候補であるユーザ装置３０２、３０４のためにＤ２Ｄモードを選択しないことを決定してもよい。
【０１０６】
スケジューリングおよびリソース割り当ての場合には、無線ネットワークノード３０６は、受信される測定結果に基づいて、測定結果が高すぎる干渉レベルを示すＤ２Ｄペア内のセルラユーザ装置またはＤ２Ｄ可能なユーザ装置のいずれかのスケジュールを変更してもよい。
【０１０７】
したがって、無線ネットワークノード３０６は、受信される測定結果を、Ｄ２Ｄ通信と、Ｄ２Ｄとセルラ層との共存とを制御する複数の目的のために用いてもよい。測定結果の受信によって、無線ネットワークノード３０６は、セルラユーザ装置から、ＰＲＢに関して、Ｄ２Ｄ  Ｒｘノードが高い干渉の影響を受ける情報を有することになる。それによって、無線ネットワークノード３０６は、様々なＤ２Ｄ管理タスクを実行してもよい。
【０１０８】
Ｄ２Ｄ管理タスクのいくつかの例は、以下に与えられる。
【０１０９】
無線ネットワークノード３０６は、Ｄ２Ｄトラフィックおよびセルラトラフィックの周波数および時刻領域スケジューリングを実行してもよい。
【０１１０】
無線ネットワークノード３０６は、特定のＤ２Ｄペアに向かう干渉を回避するために、アップリンク伝送（例えばセルラ通信のビームフォーミング）のためのアンテナモード選択を実行してもよい。
【０１１１】
さらに、無線ネットワークノード３０６は、トランスポートフォーマットの適応を実行してもよい。例えば、Ｄ２Ｄペアに向けてセルラユーザ装置から強力な干渉があった場合、無線ネットワークノード３０６は、セルラユーザ装置のために、さらに堅牢なトランスポートフォーマット（例えば低次変調および／または低い符号率）を選択してもよい。それによって、セルラユーザ装置の送信電力は減少され、Ｄ２Ｄペアの受信ユーザ装置に対して、さらに弱い干渉を引き起こす。
【０１１２】
いくつかの実施形態において、無線ネットワークノード３０６は、ＵＬセルラ送信およびＤ２Ｄ送信の電源制御を実行してもよい。例えば、無線ネットワークノード３０６は、Ｄ２Ｄペアに向けてセルラユーザ装置から強力な干渉があった場合に、ユーザ装置送信電力オフセットに関連する１つ以上のパラメータを調節してもよい。
【０１１３】
無線ネットワークノード３０６は、干渉回避のためにセル変更をさらに実行してもよい。例えば、無線ネットワークノード３０６は、例えばセルラユーザ装置が複数のＤ２Ｄペアに近接する場合、Ｄ２Ｄペアに向けた低干渉に対して、例えば、セルラユーザ装置の能力に依存する周波数間ハンドオーバまたはＲＡＴ間ハンドオーバによって、セルラユーザ装置のサービングキャリアを変更してもよい。
【０１１４】
さらに、無線ネットワークノード３０６は、ネットワーク計画および管理タスクを実行してもよい。例えば、無線ネットワークノード３０６は、セル内の長期的な干渉管理のために、Ｄ２Ｄユーザ装置から得られた測定結果を用いてもよい。別の例において、無線ネットワークノード３０６は、Ｄ２Ｄユーザ装置から得られた測定結果を、別の無線ネットワークノード３０６または他のネットワークノード３１０に示してもよい。先に述べたように、他のネットワークノード３１０は、ＯＳＳノード、ＳＯＮノード、ＭＤＴ、Ｏ＆Ｍノード、ネットワーク監視ノード、ネットワーク管理ノード、ネットワーク計画ノード、基幹回線網ノード、測位ノード、集中型ノード、ネットワーク制御ノードなどであってもよい。ネットワークノード３１０は、ネットワーク計画および管理のために測定結果を用いてもよい。例えば、他のネットワークノード３１０は、セルのリソースを与えられて共存することができるセルラユーザ装置およびＤ２Ｄペアの数を決定してもよい。さらに、ネットワークノード３１０は、干渉を軽減するために、および／またはさらに多くの共存セルラユーザ装置およびＤ２Ｄ可能なユーザ装置を収容するために、例えばセル帯域幅またはアンテナモードなどのシステムパラメータを調整または調節または推奨してもよい。
【０１１５】
本明細書における実施形態による方法は、第１のユーザ装置３０２の観点から見て、ここで記述されることになる。
【０１１６】
通信ネットワーク３００内のＤ２Ｄ通信のためのリソース割り当てを支援するために、第２のユーザ装置３０４によって送信された参照信号に関する測定を実行するための、第１のユーザ装置３０２内の方法は、ここでは、図５に関連して記述されることになる。
【０１１７】
前述のように、通信ネットワーク３００は、第１のユーザ装置３０２および第２のユーザ装置３０４を備える。第１および第２のユーザ装置３０２、３０４の少なくとも１つは、第１のＤ２Ｄ通信可能なユーザ装置である。さらに、通信ネットワーク３００は、第１および第２のユーザ装置３０２、３０４をサーブするように構成された無線ネットワークノード３０６を備える。
【０１１８】
以下に述べられる順序で動作を実行する必要はないが、任意の適切な順序を採用してもよい。さらに、動作を組み合わせてもよい。
【０１１９】
動作５００
第１のユーザ装置３０２は、通信ネットワーク３００内のＤ２Ｄ通信のためのリソース割り当てを支援するために第２のユーザ装置３０４によって送信された参照信号の測定を実行することができることをレポートしてもよい。第１のユーザ装置３０２は、無線ネットワークノード３０６に能力情報をレポートしてもよい。但し、第１のユーザ装置３０２は、ＬＴＥ内の基幹回線網ノード（例えばモビリティ管理エンティティ（Ｍｏｂｉｌｉｔｙ  Ｍａｎａｇｅｍｅｎｔ  Ｅｎｔｉｔｙ（ＭＭＥ）））などの他のネットワークノードに対して、またはＬＴＥ内の測位ノード（例えば発展型サービング・モバイル・ロケーション・センタ）（Ｅｖｏｌｖｅｄ  Ｓｅｒｖｉｎｇ  Ｍｏｂｉｌｅ  Ｌｏｃａｔｉｏｎ  Ｃｅｎｔｒｅ（Ｅ−ＳＭＬＣ））に対して、能力情報をレポートしてもよい。任意の上記ネットワークノードに対する能力情報の信号方式は、ＲＲＣ、ＭＡＣ、ＬＴＥ測位プロトコル（ＬＴＥ  ｐｏｓｉｔｉｏｎｉｎｇ  ｐｒｏｔｏｃｏｌ（ＬＰＰ））などの任意の適切なプロトコルを用いて行われてもよい。
【０１２０】
Ｄ２Ｄ通信が通信ネットワーク３００内に用いられるときに、すべての第１のユーザ装置３０２が参照信号に関するこのような測定を実行することができるとは限らないので、能力情報のレポートが実行されてもよい。例えば、すべての第１のユーザ装置３０２は、通信ネットワーク３００内のＤ２Ｄ通信のためのリソース割り当てを支援するために第２のユーザ装置３０４によって送信された参照信号に関する測定を実行することができるとは限らない。より具体的には、すべてのＤ２Ｄ可能なユーザ装置は、第２のユーザ装置３０４によって送信された参照信号に関する測定を実行することができるとは限らなく、第２のユーザ装置３０４は、Ｄ２Ｄ可能なユーザ装置またはセルラユーザ装置であり得る。同様に、すべてのセルラユーザ装置は、第２のユーザ装置３０４によって送信された参照信号に関する測定を実行することができるとは限らず、第２のユーザ装置３０４は、Ｄ２Ｄ可能なユーザ装置またはセルラユーザ装置であり得る。
【０１２１】
第１のユーザ装置３０２は、また、Ｄ２Ｄ通信のためのリソース割り当てを支援するために特定のタイプの測定を実行することができてもよい。例えば、第１のユーザ装置３０２は、第２のユーザ装置３０４によって送信された参照信号に関する経路損失測定のみを実行することができることを示してもよい。１つの測定のみ（例えば経路損失測定）を実行するこのような第１のユーザ装置３０２は、より単純な実装およびより少ない処理能力しか必要としないことになる。別の例において、第１のユーザ装置３０２は、第２のユーザ装置３０４によって送信された参照信号に関する信号強度および信号品質の測定のみを実行することができることを示してもよい。さらに別の例において、第１のユーザ装置３０２は、第２のユーザ装置３０４によって送信された参照信号に関する経路損失、信号強度、および信号品質の測定を実行することができることを示してもよい。さらに別の例において、第１のユーザ装置３０２は、第２のユーザ装置３０４によって送信された特定のタイプの参照信号（例えばＳＲＳ）に関する経路損失、信号強度、および信号品質の測定を実行することができることを示してもよい。
【０１２２】
不必要な信号を回避するために、通信ネットワーク３００（例えば無線ネットワークノード３０６）は、通信ネットワーク３００内のＤ２Ｄ通信のためのリソース割り当てを支援するために、第２のユーザ装置３０４によって送信された参照信号に関する測定を実行することができる場合にのみ、Ｄ２Ｄ可能なユーザ装置を含む一部の測定を実行することを第１のユーザ装置３０２にリクエストすることになる。
【０１２３】
したがって、第１のユーザ装置３０２は、通信ネットワーク３００内のＤ２Ｄ通信のためのリソース割り当てを支援するために第２のユーザ装置３０４によって送信された参照信号の測定を実行することができることを、無線ネットワークノード３０６に対してレポートしてもよい。レポートされた能力情報は、第２のユーザ装置３０４によって送信された参照信号に関する測定を、第１のユーザ装置３０２が実行することができることを示してもよく、第１および第２のユーザ装置３０２、３０４の少なくとも１つは、第１のＤ２Ｄ可能なユーザ装置である。
【０１２４】
例えば、基本的な能力情報は第２のユーザ装置３０４によって送信された参照信号に関する、あるタイプの測定、例えば信号強度、信号品質、などに関する測定を、第１のユーザ装置３０２が実行することができることを示してもよい。
【０１２５】
能力情報は、また（以下に例示されることになるような）追加的な能力情報または関連するパラメータを備えてもよい。追加的な能力情報は、第１のユーザ装置３０２によって実行されてもよいＤ２Ｄを含む測定の数の点から制限事項を示してもよい。制限事項は、測定が並行に行われてもよい第２のユーザ装置３０４の数の点から表現されてもよい。制限事項は、また、第２のユーザ装置３０４によって送信された参照信号に関する測定を第１のユーザ装置３０２が実行してもよい最大測定帯域幅（例えば５ＭＨｚ）の点から表現されてもよい。これらの制限事項は、また、既定のものであってもよい。能力情報のいくつかの例は、ここで与えられる。
【０１２６】
能力情報は、セルラユーザ装置のみによって送信された参照信号に関する測定を、第１のユーザ装置３０２（例えばＤ２Ｄ可能なユーザ装置）が実行することができるという表示を備えてもよい。
【０１２７】
さらに、能力情報は、別のＤ２Ｄ可能なユーザ装置のみに関する測定を、第１のユーザ装置３０２（例えばＤ２Ｄ可能なユーザ装置）が実行することができるという表示を備えてもよい。
【０１２８】
能力情報は、別のＤ２Ｄ可能なユーザ装置によって送信される参照信号に加えて、セルラユーザ装置によって送信される参照信号に関する測定を、第１のユーザ装置３０２（例えばＤ２Ｄ可能なユーザ装置）が実行することが可能であるという表示をさらに備えてもよい。
【０１２９】
さらに、能力情報は、別のＤ２Ｄ可能なユーザ装置によって送信される参照信号に加えて、セルラユーザ装置によって送信される参照信号に関する測定を、第１のユーザ装置３０２（例えばＤ２Ｄ可能なユーザ装置）が実行することが可能であるという表示を備えてもよいが、これは第１のユーザ装置３０２がデータを受信および／または送信していない場合となる。これは、第２のユーザ装置３０４によって送信された信号に関する測定の実行と並行して行われるデータの受信および／または送信は、第１のユーザ装置３０２内にさらに複雑な構成を含むからである。
【０１３０】
能力情報は、別のＤ２Ｄ可能なユーザ装置によって送信される参照信号に加えて、セルラユーザ装置によって送信される参照信号に関する合計Ｎ回の測定を、第１のユーザ装置３０２（例えばＤ２Ｄ可能なユーザ装置）が実行することが可能であるという表示をさらに備えてもよい。ここで、Ｎは、１〜６の間の整数であり、Ｎ回の測定は、セルラユーザ装置上で、およびＤ２Ｄ可能なユーザ装置上で実行された測定の間に分配されてもよい。
【０１３１】
さらに、能力情報は、Ｄ２Ｄ可能なユーザ装置によって送信された参照信号に関する測定を、第１のユーザ装置３０２（例えばセルラユーザ装置）が実行することができるという表示を備えてもよい。
【０１３２】
能力情報は、第１のユーザ装置３０２が特定のタイプのキャリアアグリゲーション（ＣＡ）モード内（例えば帯域間ＣＡ内）で動作しているときに、Ｄ２Ｄ可能なユーザ装置またはセルラユーザ装置によって送信された参照信号に関する測定を、第１のユーザ装置３０２が実行することができるという表示をさらに備えてもよい。これは、このような第１のユーザ装置３０２は、２つの独立した受信器チェーンを有するからであり、第１の受信器チェーンは、データ通信のために用いられてもよく、第２の受信器チェーンは、測定のために用いられてもよい。
【０１３３】
第１のユーザ装置３０２は、例えば無線ネットワークノード３０６から、何らかの明示的リクエストを受信せずに、能力情報を率先的にレポートしてもよい。率先的なレポートの場合、第１のユーザ装置３０２は、例えば、ＲＲＣ接続を確立するとき、またはセル変更の間（例えばハンドオーバ）、ＣＡの場合でのプライマリセルの変更、ＣＡの場合でのプライマリＣＣの変更、ＲＲＣ再確立、および／またはリダイレクトなどによりＲＲＣコネクション解放などの初期設定または呼設定の間に、その測定能力をレポートしてもよい。
【０１３４】
さらに、第１のユーザ装置３０２は、例えば無線ネットワークノード３０６から明示的リクエストを受信した際に能力情報をレポートしてもよい。
【０１３５】
動作５０１
第１のユーザ装置３０２は、無線ネットワークノード３０６から構成情報を受信し、構成情報は、第２のユーザ装置３０４によって送信された参照信号に関する。
【０１３６】
動作４０２に関して記載されるように、構成情報の受信によって、第１のユーザ装置３０２は、第２のユーザ装置３０４から送られてくる参照信号に関する、および第１のユーザ装置３０２が測定を実行する参照信号に関する認識を得ることになる。
【０１３７】
動作５０２
第１のユーザ装置３０２は、無線ネットワークノード３０６からタイミングアドバンス情報を受信してもよい。
【０１３８】
動作４０３に関して記載されるように、タイミングアドバンス情報を受信することによって、第１のユーザ装置３０２は、第２のユーザ装置３０４によって送信された１つ以上の参照信号を取得および／またはロックオンしてもよい。
【０１３９】
動作５０３
第１のユーザ装置３０２は、第２のユーザ装置３０４によって送信された参照信号を通じて相関することによって、第２のユーザ装置３０４に同期してもよい。これは、上記の動作４０５に関連して記載されたので、ここでは詳細には記載されないことになる。
【０１４０】
動作４０３に関して記載されるように、第２のユーザ装置３０４に同期することによって、第１のユーザ装置３０２は、第２のユーザ装置３０４によって送信された１つ以上の参照信号を取得および／またはロックオンしてもよい。
【０１４１】
この動作は、前述の動作４０５に関連する。
【０１４２】
動作５０４
いくつかの実施形態において、第１のユーザ装置３０２は、Ｄ２Ｄ通信可能なユーザ装置であり、第２のユーザ装置３０４は、セルラユーザ装置である（図３ａ参照）。このような実施形態において、第１のユーザ装置３０２は、無線ネットワークノード３０６のアップリンクリソース上の第２のＤ２Ｄ可能なユーザ装置３０５と通信してもよい。Ｄ２Ｄペアは、ＴＤＤ内のＵＬセルラリソース／周波数およびタイムスロット上で通信する。
【０１４３】
いくつかの実施形態において、第１のユーザ装置３０２は、Ｄ２Ｄ通信可能なユーザ装置であり、第２のユーザ装置３０４は、第２のＤ２Ｄ可能なユーザ装置である（図３ｂ参照）。このような実施形態において、第１のユーザ装置３０２は、無線ネットワークノード３０６によって割り当てられたアップリンクまたはダウンリンクのリソース上で第２のＤ２Ｄ可能なユーザ装置３０４と通信してもよい。
【０１４４】
動作５０５
第１のユーザ装置３０２は、第２のユーザ装置３０４によって送信された参照信号に関する測定を実行する。測定は、受信される構成情報に基づく。
【０１４５】
第１のユーザ装置３０２は、受信されるタイミングアドバンス情報に基づいて測定を実行してもよい（動作５０２参照）。
【０１４６】
いくつかの実施形態において、第１のユーザ装置３０２は、Ｄ２Ｄ通信可能なユーザ装置であり、第２のユーザ装置３０４は、セルラユーザ装置である（図３ａ参照）。このような実施形態において、Ｄ２Ｄ可能なユーザ装置は、セルラユーザ装置によって送信されたアップリンク参照信号に関する測定を実行してもよい。
【０１４７】
いくつかの実施形態において、第１のユーザ装置３０２は、第１のＤ２Ｄ可能なユーザ装置であり、第２のユーザ装置３０４は、第２のＤ２Ｄ可能なユーザ装置である（図３ｂ参照）。このような実施形態において、第１のＤ２Ｄ可能なユーザ装置３０２は、第２のＤ２Ｄ可能なユーザ装置３０４によって送信されたアップリンク参照信号に関する測定を実行してもよい。
【０１４８】
いくつかの実施形態において、第１のユーザ装置３０２は、セルラユーザ装置であり、第２のユーザ装置３０４は、ダウンリンクリソース上で通信するＤ２Ｄ可能なユーザ装置である（図３ｃ参照）。このような実施形態において、第１のユーザ装置３０２が測定を実行する動作は、無線ネットワークノード３０６によって送信された参照信号に関する追加的な測定を実行することをさらに備える。２つの測定を実行することによって、第１のユーザ装置３０２（すなわちセルラユーザ装置）は、無線ネットワークノード３０６とセルラユーザ装置との間の経路損失に加えて、Ｄ２Ｄ可能なユーザ装置３０２と第２のユーザ装置３０４（すなわちセルラユーザ装置）との間の経路損失に関する測定結果をレポートしてもよい。これら２つの情報は、無線ネットワークノード３０６が、第１および第２のユーザ装置３０２、３０４に対する、電力およびＰＲＢの割り当てを制御することを可能にする。言いかえれば、２つの測定は、無線ネットワークノード３０６が、第１および第２のユーザ装置３０２、３０４の幾何学的配置に関する認識を有することを可能にする。
【０１４９】
無線ネットワークノード３０６によって送信された参照信号に関する追加的測定は、第２のユーザ装置３０４によって送信された参照信号に関する測定と同一のタイプであってもよい。
【０１５０】
いくつかの実施形態において、第１のユーザ装置３０２は、第１のユーザ装置３０２の送信タイミングが第２のユーザ装置３０４の送信タイミングと等しいという想定に基づいて、参照信号に関する測定を実行する。
【０１５１】
さらに、第１のユーザ装置３０２は、周波数選択スケジューリングを実現するために第２のユーザ装置３０４からの送信の複数の周波数チャネルに関する測定を実行してもよい。
【０１５２】
さらに、第１のユーザ装置３０２は、参照信号に関するチャネル品質推定を実行してもよい。
【０１５３】
いくつかの実施形態において、データを送信することには用いられないＰＲＢを決定するために、第１のユーザ装置３０２は、ＰＲＢに関する測定を実行する。
【０１５４】
第１のユーザ装置３０２は、信号強度、信号品質、および／または経路損失に関する測定をさらに実行してもよい。
【０１５５】
この動作は、前述の動作４０６に関連する。
【０１５６】
動作５０６
いくつかの実施形態において、第１のユーザ装置３０２は、セルラユーザ装置であり、第２のユーザ装置３０４は、ダウンリンクリソース上で通信する第１のＤ２Ｄ可能なユーザ装置である（図３ｃ参照）。このような実施形態において、第１のユーザ装置３０２は、第２のユーザ装置３０４によって送信された参照信号に関する測定の結果と、無線ネットワークノード３０６によって送信された参照信号に関する追加的測定の結果とを比較する。
【０１５７】
比較は、第１および第２のユーザ装置３０２、３０４が同一のＰＲＢ上でスケジューリングされれば、第２のユーザ装置３０４が第１のユーザ装置３０２に対して引き起こす干渉がどのくらい強力なのかを、第１のユーザ装置３０２および無線ネットワークノード３０６が認識することを可能にすることができる。したがって、追加的な測定およびレポートは、第１および第２のユーザ装置３０２、３０４のそれぞれに対し、効率的な無線ネットワークオペレーションまたは無線リソース管理タスク（例えばスケジューリングおよび電源制御）を、無線ネットワークノード３０６が活用することを可能にしてもよい。
【０１５８】
動作５０７
第１のユーザ装置３０２は、実行された測定の結果を、無線ネットワークノード３０６にレポートする。
【０１５９】
第１のユーザ装置３０２は、１つ以上の第２のユーザ装置３０４からの結果をレポートしてもよい。第２のユーザ装置３０４の送信が第１のユーザ装置３０２にて干渉を引き起こす。
【０１６０】
いくつかの実施形態において、例えば信号強度、信号品質、経路損失などの第２のユーザ装置３０４からの受信信号レベルが、閾値より上であるときに、第１のユーザ装置３０２は、１つ以上の第２のユーザ装置３０４からの結果をレポートしてもよい。閾値は、無線ネットワークノード３０６によって構成可能であってもよいし、または、既定の閾値であってもよい。
【０１６１】
第１のユーザ装置３０２は、参照信号に関する測定の完了によって結果をレポートすることを実行するように作動させてもよい。さらに、第１のユーザ装置３０２は、周期的に、例えば所定の時点または事前構成された時点で、結果をレポートしてもよい。さらに、第１のユーザ装置３０２は、例えば、測定の結果が事前構成された閾値または既定の閾値を超えたときをレポートするために、イベントトリガ型方式で結果をレポートしてもよい。第１のユーザ装置３０２は、例えば、測定の結果が事前構成された閾値または既定の閾値を超えるときの第１の結果をレポートし、その後、結果を周期的にレポートし続けるために、イベントトリガ周期型方式で結果をさらにレポートしてもよい。
【０１６２】
いくつかの実施形態において、第１のユーザ装置３０２は、セルラユーザ装置であり、第２のユーザ装置３０４は、ダウンリンクリソース上で通信する第１のＤ２Ｄ可能なユーザ装置である（図３ｃ参照）。このような実施形態において、第１のユーザ装置３０２は、無線ネットワークノード３０６に対して比較結果をさらにレポートする。ここで、Ｄ２ＤペアがＤ２ＤリンクのためのＤＬリソース上で通信するので、比較結果は、セルラユーザ装置である第１のユーザ装置３０２およびＤ２ＤペアのためのＤＬリソースをスケジューリングする場合に無線ネットワークノード３０６にとって価値のある情報かもしれない。無線ネットワークノード３０６は、したがって、所定のセットの無線リソースごとに第１および第２のユーザ装置３０２、３０４それぞれの幾何学的配置または信号品質について通知されてもよい。無線ネットワークノード３０６は、それぞれ、第１および第２のユーザ装置３０２、３０４が同一の無線リソース（例えばＰＲＢ）を用いてもよいか否かを、これによって判断することができる。例えば、第１および第２のユーザ装置３０２、３０４が、同様の幾何学的配置を有するか、または同様の信号品質を所有する場合、無線ネットワークノード３０６は、第１および第２のユーザ装置３０２、３０４に対して、同一の無線リソースを割り当てないようにしてもよい。
【０１６３】
この動作は、前述の動作４０７に関連する。
【０１６４】
第２のユーザ装置３０４によって送信された参照信号に関する測定を実行するための、以上に記載された第１のユーザ装置３０２内の方法動作を実行するために、第１のユーザ装置３０２は、図６に表される以下の配置を備える。前述のように、参照信号は、ＰＳＳ、ＳＳＳ、ＳＲＳ、ＤＭＲＳ、任意のパイロット信号、または既定の信号であってもよい。
【０１６５】
さらに、通信ネットワーク３００は、第１のユーザ装置３０２と、第２のユーザ装置３０４とを備える。第１および第２のユーザ装置３０２、３０４の少なくとも１つは、第１のＤ２Ｄ通信可能なユーザ装置である。さらに、通信ネットワーク３００は、第１および第２のユーザ装置３０２、３０４をサーブするように構成された無線ネットワークノード３０６を備える。
【０１６６】
第１のユーザ装置３０２は、第１のユーザ装置３０２から、１つ以上の第２のユーザ装置３０４に対して、および／または１つ以上の無線ネットワークノード３０６に対して、信号および情報を送信するように構成されてもよい送信回路６００を備える。
【０１６７】
第１のユーザ装置３０２は、無線ネットワークノード３０６からの構成情報を受信するように構成されてもよい受信回路６０１を備える。構成情報は、第２のユーザ装置３０４によって送信された参照信号に関する。
【０１６８】
いくつかの実施形態において、受信回路６０１は、無線ネットワークノード３０６からタイミングアドバンス情報を受信するように構成される。
【０１６９】
さらに、第１のユーザ装置３０２は、能力情報をレポートするように構成された能力レポート回路６０２を備えてもよい。能力レポート回路６０２は、無線ネットワークノード３０６に対して能力情報をレポートするように構成されてもよい。
【０１７０】
第１のユーザ装置３０２が、第１のＤ２Ｄ可能なユーザ装置である、いくつかの実施形態において（図３ａおよび図３ｂ参照）、能力情報は、第２のユーザ装置３０４によって送信された参照信号に関する少なくとも１つの測定を、第１のユーザ装置３０２が実行することができることを示す。
【０１７１】
第１のユーザ装置３０２は、セルラユーザ装置であり、第２のユーザ装置３０４は、第１のＤ２Ｄ可能なユーザ装置である場合（図３ｃ参照）、能力情報は、第２のユーザ装置３０４によって送信された参照信号に関する少なくとも１つの測定を、第１のユーザ装置３０２が実行することができることを示す。
【０１７２】
いくつかの実施形態において、能力レポート回路６０２は、ＬＴＥ内の基幹回線網ノード（例えばモビリティ管理エンティティ（Ｍｏｂｉｌｉｔｙ  Ｍａｎａｇｅｍｅｎｔ  Ｅｎｔｉｔｙ（ＭＭＥ）））などの他のネットワークノードに対して、またはＬＴＥ内の測位ノード（例えば発展型サービング・モバイル・ロケーション・センタ）（Ｅｖｏｌｖｅｄ  Ｓｅｒｖｉｎｇ  Ｍｏｂｉｌｅ  Ｌｏｃａｔｉｏｎ  Ｃｅｎｔｒｅ（Ｅ−ＳＭＬＣ））に対して、能力情報をレポートするように構成されてもよい。任意の上記ネットワークノードに対する能力情報の信号方式は、ＲＲＣ、ＭＡＣ、ＬＴＥ測位プロトコル（ＬＴＥ  ｐｏｓｉｔｉｏｎｉｎｇ  ｐｒｏｔｏｃｏｌ（ＬＰＰ））などの任意の適切なプロトコルを用いて行われてもよい。
【０１７３】
第１のユーザ装置３０２は、第２のユーザ装置３０４によって送信された参照信号を用いて相関することによって、第２のユーザ装置３０４に同期するように構成された同期回路６０３をさらに備えてもよい。
【０１７４】
同期化回路６０３は、上記の動作４０５に関して記載されるように、ユーザ装置間の同期（例えば、第１のユーザ装置３０２と第２のユーザ装置３０４との同期）を提供するように構成されてもよい。ユーザ装置間の同期は、時刻（例えばシンボル）同期と周波数同期との双方を意味する。時刻同期は、２つのユーザ装置の各々の同期回路６０３が送信されたシンボル（例えばＯＦＤＭシンボル）がスタートする正確な時刻を決定することができることを意味する。言いかえれば、２つのユーザ装置は、共通クロックおよび０時点の概念に依存してもよい。周波数同期は、２つのユーザ装置が同一のキャリア周波数およびサブキャリア周波数を用いることを意味する。すなわち、２つのユーザ装置間のあらゆるキャリア周波数オフセットが除外される。時刻同期と周波数同期との組み合わせは、２つのユーザ装置が同じ時刻周波数概念を用い、それによって、２つのユーザ装置は、同一のＰＲＢ概念を用いることを意味する。
【０１７５】
前述のように、例えば３ＧＰＰ  ＬＴＥシステムにおいて、ｅＮＢとユーザ装置との間のＤＬ同期は、１つ以上の既定の複合シーケンス（例えばＺａｄｏｆｆ−Ｃｈｕシーケンス）を用いた既定の（プライマリおよびセカンダリ）同期チャネル（Ｐ−ＳＣＨおよびＳ−ＳＣＨ）を用いることによって得られる。ユーザ装置は、そのクロックを同期させ、且つその周波数オフセットを除外するために、１つ以上の既定の複合シーケンスを取り込んで同期してもよい。
【０１７６】
第１のユーザ装置３０２は、通信回路６０４をさらに備えてもよい。
【０１７７】
いくつかの実施形態において、第１のユーザ装置３０２は、第１のＤ２Ｄ可能なユーザ装置であり、第２のユーザ装置３０４は、セルラユーザ装置である（図３ａ参照）。このような実施形態において、通信回路６０４は、無線ネットワークノード３０６のアップリンクリソース上で第２のＤ２Ｄ可能なユーザ装置３０５と通信するように構成される。Ｄ２Ｄペアは、ＴＤＤ内のＵＬセルラリソース、周波数、およびタイムスロット上で通信する。
【０１７８】
いくつかの実施形態において、第１のユーザ装置３０２は、第１のＤ２Ｄ可能なユーザ装置であり、第２のユーザ装置３０４は、第２のＤ２Ｄ可能なユーザ装置である（図３ｂ参照）。このような実施形態において、通信回路６０４は、無線ネットワークノード３０６によって割り当てられたアップリンクまたはダウンリンクのリソース上で第２のユーザ装置３０４と通信するように構成される。
【０１７９】
第１のユーザ装置３０２は、第２のユーザ装置３０４によって送信された参照信号に関する測定を実行するように構成された実行回路６０５をさらに備える。第１のユーザ装置３０２は、受信される構成情報に基づいて測定を実行する。
【０１８０】
いくつかの実施形態において、実行回路６０５は、受信されたタイミングアドバンス情報に基づいて測定を実行するように構成される。
【０１８１】
さらに、実行回路６０５は、第１のユーザ装置３０２の送信タイミングが第２のユーザ装置３０４の送信タイミングと等しいという想定に基づいて、参照信号に関する測定を実行するように構成される。
【０１８２】
いくつかの実施形態において、実行回路６０５は、周波数選択スケジューリングを実現するために第２のユーザ装置３０４からの送信に関する複数の周波数チャネルと、参照信号に関するチャネル品質推定と、データを送信するために用いられないＰＲＢを決定するためにＰＲＢと、信号強度、信号品質、および／または経路損失とに関する測定を実行するようにさらに構成される
【０１８３】
いくつかの実施形態において、第１のユーザ装置３０２は、第１のＤ２Ｄ可能なユーザ装置であり、第２のユーザ装置３０４は、セルラユーザ装置である（図３ａ参照）。このような実施形態において、実行回路６０５は、第２のユーザ装置３０４によって送信されたアップリンク参照信号に関する測定を実行するようにさらに構成される。
【０１８４】
いくつかの実施形態において、第１のユーザ装置３０２は、第１のＤ２Ｄ可能なユーザ装置であり、第２のユーザ装置３０４は、第２のＤ２Ｄ可能なユーザ装置である（図３ｂ参照）。このような実施形態において、実行回路６０５は、第２のユーザ装置３０４によって送信されたアップリンク参照信号に関する測定を実行するように構成される。
【０１８５】
いくつかの実施形態において、第１のユーザ装置３０２は、セルラユーザ装置であり、第２のユーザ装置３０４は、ダウンリンクリソース上で通信する第１のＤ２Ｄ可能なユーザ装置である（図３ｃ参照）。このような実施形態において、実行回路６０５は、無線ネットワークノード３０６から送信された参照信号に関する追加的測定を実行するように構成される。前述のように、無線ネットワークノード３０６によって送信された参照信号に関する追加的測定は、第２のユーザ装置３０４によって送信された参照信号に関する測定と同一のタイプであってもよい。
【０１８６】
さらに、第１のユーザ装置３０２は、実行された測定の結果を、無線ネットワークノード３０６にレポートするように構成されたレポート回路６０６を備える。
【０１８７】
レポート回路６０６は、１つ以上の第２のユーザ装置３０４からの結果をレポートするように構成されてもよい。第２のユーザ装置３０４の送信が第１のユーザ装置３０２にて干渉を引き起こす。
【０１８８】
さらに、レポート回路６０６は、その受信信号レベル（例えば信号強度、信号品質、経路など）が閾値より上にある１つ以上の第２のユーザ装置３０４からの結果をレポートするように構成されてもよい。ここで、閾値は、無線ネットワークノード３０６によって構成可能なもの、または既定のものである。
【０１８９】
いくつかの実施形態において、レポート回路６０６は第２のユーザ装置３０４によって送信された参照信号に関する測定の完了によってレポートするように作動するように構成される。但し、レポート回路６０６は、周期的にレポートするように構成されてもよいし、または、レポート回路６０６は、事前構成された閾値を超える測定結果をレポートするためにイベントトリガ型であってもよい。
【０１９０】
さらに、いくつかの実施形態において、第１のユーザ装置３０２は、セルラユーザ装置であり、第２のユーザ装置３０４は、ダウンリンクリソース上で通信する第１のＤ２Ｄ可能なユーザ装置である（図３ｃ参照）。このような実施形態において、レポート回路６０６は、無線ネットワークノード３０６に対して比較結果をレポートするようにさらに構成される。ここで、Ｄ２ＤペアがＤ２ＤリンクのためのＤＬリソースを上で通信するので、比較結果は、第１のユーザ装置３０２（すなわちセルラユーザ装置）とＤ２ＤペアのためのＤＬリソースをスケジューリングする際に無線ネットワークノード３０６にとって価値のある情報かもしれない。
【０１９１】
第１のユーザ装置３０２は、測定結果を比較するように構成された、比較回路６０７をさらに備えてもよい。
【０１９２】
いくつかの実施形態において、第１のユーザ装置３０２は、セルラユーザ装置であり、第２のユーザ装置３０４は、ダウンリンクリソース上で通信する第１のＤ２Ｄ可能なユーザ装置である（図３ｃ参照）。このような実施形態において、比較回路６０７は、第２のユーザ装置３０４によって送信された参照信号に関する測定の結果と、無線ネットワークノード３０６によって送信された参照信号に関する追加的測定の結果とを比較するように構成される。
【０１９３】
比較結果は、第１のユーザ装置３０２および無線ネットワークノード３０６が、第１のユーザ装置と第２のユーザ装置のリンクおよび、無線ネットワークノードと第１のユーザ装置のリンクと間の経路損失差、すなわち、第１のユーザ装置と第２のユーザ装置との間のリンクおよび、無線ネットワークノードと第１のユーザ装置との間のリンクとの間の経路損失差を認識するということであってもよい。言いかえれば、無線ネットワークノード３０６は、どのリンクがより強力なリンクであるのかを認識している。これは、第２のユーザ装置３０４の送信によって第１のユーザ装置３０２に対する干渉を引き起こしたと、無線ネットワークノード３０６が判定することを可能にする。それによって、無線ネットワークノード３０６は、ＤＬ送信のための無線ネットワークノード３０６として、第１のユーザ装置３０２が同一の無線リソース（例えばＰＲＢ）を用いるべきか否か判定してもよい。
【０１９４】
通信ネットワーク３００内のＤ２Ｄ通信のためのリソース割り当てを支援するために第２のユーザ装置３０４によって送信された参照信号に関する測定を実行するための本明細書における実施形態は、本明細書における実施形態の機能および／または方法動作を実行するためのコンピュータ・プログラム・コードに加えて、図６に表された第１のユーザ装置において、処理回路６０８などの１つ以上のプロセッサを通じて実現されてもよい。
【０１９５】
上記の第１のユーザ装置３０２内に備えられた回路の１つ以上が、集積回路を形成するために互いに統合されてもよいことは、理解されるべきである。例えば、通信回路６０４は、送信回路６００および受信回路６０１の一方または双方に統合されてもよい。
【０１９６】
第１のユーザ装置３０２は、メモリ６０９をさらに備えてもよい。メモリは、１つ以上のメモリユニットを備え、例えば閾値、既定または事前設定の情報などのデータを保存するために用いられてもよい。
【０１９７】
本明細書における実施形態による方法は、無線ネットワークノード３０６の観点から見て、ここで記述されることになる。
【０１９８】
通信ネットワーク３００内のＤ２Ｄ通信のためのリソース割り当てを支援するために、第２のユーザ装置３０４によって送信された参照信号に関する測定を実行するための無線ネットワークノード３０６内の方法は、ここでは、図７に関連して記述されることになる。さらに、前述のように、参照信号は、ＰＳＳ、ＳＳＳ、ＳＲＳ、ＤＭＲＳ、任意のパイロット信号、または既定の信号であってもよい。以下に述べられる順序で動作を実行する必要はないが、任意の適切な順序を採用してもよい。さらに、動作を組み合わせてもよい。
【０１９９】
動作７０１
無線ネットワークノード３０６は、参照信号を送信するように第２のユーザ装置３０４を構成する。
【０２００】
いくつかの実施形態において、無線ネットワークノード３０６は、第２のユーザ装置３０４のためのブロードキャストパラメータまたは特定の信号方式を用いて、第２のユーザ装置３０４に対して構成情報を送信することによって、第２のユーザ装置３０４を構成する。
【０２０１】
さらに、無線ネットワークノード３０６は、帯域幅の一部、または帯域幅の全部を通じて参照信号を送信するように第２のユーザ装置３０４を構成してもよい。
【０２０２】
さらに、無線ネットワークノード３０６は、参照信号帯域幅と、参照信号の期間および／または周期性、サブフレーム内部の参照位置、Ｚａｄｏｆｆ−Ｃｈｕシーケンスのための循環シフト、および／または第２のユーザ装置３０４のホッピングシーケンス情報を構成してもよい。
【０２０３】
いくつかの実施形態において、無線ネットワークノード３０６は、第２のユーザ装置３０４の送信タイミングアドバンスを構成する。
【０２０４】
この動作は、動作４０１に関するので、ここでは詳細には記載されないことになる。
【０２０５】
動作７０２
無線ネットワークノード３０６は、第２のユーザ装置３０４に関する構成情報を、第１のユーザ装置３０２に送信する。
【０２０６】
この動作は、動作４０２に関するので、ここでは詳細には記載されないことになる。
【０２０７】
動作７０３
無線ネットワークノード３０６は、第２のユーザ装置３０４に関するタイミングアドバンス情報を、第１のユーザ装置３０２に対して送信してもよい。
【０２０８】
この動作は、動作４０３に関するので、ここでは詳細には記載されないことになる。
【０２０９】
動作７０４
無線ネットワークノード３０６は、第２のユーザ装置３０４によって送信された参照信号の受信電力、受信干渉、および／またはビット誤り率に関する特定の測定を実行することを第１のユーザ装置３０２にリクエストしてもよい。
【０２１０】
上記の動作５００に記載されるように、第１のユーザ装置３０２は、無線ネットワークノード３０６に対して能力情報をレポートしてもよい。したがって、特定の測定を実行することを第１のユーザ装置３０２にリクエストする動作は、第１のユーザ装置３０２から能力情報を受信する動作をさらに備えてもよい。無線ネットワークノード３０６は、受信された能力情報を測定構成に用いてもよい。例えば、通信ネットワーク３００内のＤ２Ｄ通信のためのリソース割り当てを支援する１つ以上の測定を実行するために、無線ネットワークノード３０６は、第１のユーザ装置３０２を能力情報に依存して構成してもよい。したがって、無線ネットワークノード３０６は、能力情報内でレポートされたその支援された測定能力に応じて、１つ以上の測定を実行するように第１のユーザ装置３０２にリクエストしてもよい。第１のユーザ装置３０２が２つ以上のタイプの測定を支援する場合、無線ネットワークノード３０６は、支援された測定からの１つの特定の測定を実行することを第１のユーザ装置３０２にリクエストしてもよい。
【０２１１】
この動作は、動作４０４に関するので、ここでは詳細には記載されないことになる。
【０２１２】
動作７０５
無線ネットワークノード３０６は、第２のユーザ装置３０４から構成情報に応じて１つ以上の参照信号を受信してもよい。
【０２１３】
いくつかの実施形態において、無線ネットワークノード３０６は、受信された参照信号を第１のユーザ装置３０２に送信し、第１のユーザ装置３０２は、上記の動作５０５に記載されたような追加的測定を実行してもよい。
【０２１４】
動作７０６
無線ネットワークノード３０６は、第２のユーザ装置３０４によって送信された参照信号に関する測定結果を受信する。送信された参照信号に関する測定は、第１のユーザ装置３０２によって実行される。
【０２１５】
いくつかの実施形態において、第１のユーザ装置３０２は、セルラユーザ装置であり、第２のユーザ装置３０４は、ダウンリンクリソース上で通信する第１のＤ２Ｄ可能なユーザ装置である（図３ｃ参照）。このような実施形態において、無線ネットワークノード３０６は、第２のユーザ装置３０４から送信された参照信号、および無線ネットワークノード３０６から送信された参照信号に関して、第１のユーザ装置３０２によって実行された測定の比較結果をさらに受信する。比較結果は、ここで、Ｄ２ＤペアがＤＬ上で通信するので、セルラユーザ装置である第１のユーザ装置３０２およびＤ２ＤペアのためのＤＬリソースをスケジューリングする場合に無線ネットワークノード３０６にとって価値のある情報かもしれない。
【０２１６】
無線ネットワークノード３０６は、所定の時点にて、例えば、セル固有参照信号（ＣＲＳ）、プライマリ同期信号（ＰＳＳ）、セカンダリ同期信号（ＳＳＳ）などの参照信号を送信してもよい。ＬＴＥにおいて、例えば、ＣＲＳは、セル送信帯域幅全体にわたるすべてのサブフレーム内で送信される。同様に、ＬＴＥにおいて、ＰＳＳ／ＳＳＳは、周波数領域内の中央の６つのリソースブロックにわたって、０番サブフレームおよび５番サブフレーム内で送信されてもよい。
【０２１７】
動作７０７
無線ネットワークノード３０６は、測定の結果に基づいて、または測定の結果を用いて、第１のＤ２Ｄ可能なユーザ装置と第２のＤ２Ｄ可能なユーザ装置との間のＤ２Ｄ通信のための１つ以上の無線オペレーションタスクを実行する。
【０２１８】
いくつかの実施形態において、無線ネットワークノード３０６は、Ｄ２Ｄ通信およびセルラ通信のための周波数領域および時刻領域をスケジューリングすることによって、アップリンク伝送のためのアンテナモードを選択することによって、第２のユーザ装置３０４のためのトランスポートフォーマットを適応することによって、第２のユーザ装置３０４の送信電力を制御することによって、第２のユーザ装置３０４のためのセル変更を実行することによって、および／または通信ネットワーク３００の内部の無線リソースを管理することによって、１つ以上の無線オペレーションタスクを実行する。
【０２１９】
いくつかの実施形態において、第１のユーザ装置３０２は、セルラユーザ装置であり、第２のユーザ装置３０４は、ダウンリンクリソース上で通信する第１のＤ２Ｄ可能なユーザ装置である（図３ｃ参照）。このような実施形態において、ここで、Ｄ２ＤペアがＤ２ＤリンクのためのＤＬリソース上で通信するので、セルラユーザ装置である第１のユーザ装置３０２とＤ２Ｄペア（例えば、第１のＤ２Ｄ可能なユーザ装置および第２のＤ２Ｄ可能なユーザ装置３０５）とのためのＤＬリソースをスケジューリングする際に、無線ネットワークノード３０６は、比較結果を用いてもよい。
【０２２０】
この動作は、動作５０７に関するので、ここでは詳細には記載されないことになる。
【０２２１】
動作７０８
無線ネットワークノード３０６は、通信ネットワーク３００内に備えられた、１つ以上の他の無線ネットワークノード３０６に対して、または１つ以上のネットワークノード３１０に対して、測定の結果を送信してもよく、１つ以上の他の無線ネットワークノード３０６または１つ以上のネットワークノード３１０は、１つ以上のネットワークオペレーションタスクのために測定結果を用いてもよい。
【０２２２】
ネットワークノード３１０は、ＯＳＳノード、ＳＯＮノード、ＭＤＴノード、Ｏ＆Ｍノード、ネットワーク監視ノード、ネットワーク管理ノード、ネットワーク計画ノード、基幹回線網ノード、測位ノード、集中型ノード、ネットワーク制御ノードなどであってもよい。
【０２２３】
さらに、ネットワークノード３１０は、ネットワーク計画、ネットワーク監視、ネットワーク管理、またはネットワーク・オペレーショナル・パラメータのチューニングなどの、１つ以上のネットワークオペレーションタスクを実行するように構成されてもよい。
【０２２４】
通信ネットワーク３００内のＤ２Ｄ通信のための制御リソース割り当てを実行するために、以上に記載された無線ネットワークノード３０６内の方法動作を実行するために、無線ネットワークノード３０６は、図８に表された以下の配置を備える。通信ネットワーク３００は、第１のユーザ装置３０２と第２のユーザ装置３０４とを備え、第１および第２のユーザ装置３０２、３０４の少なくとも１つは、第１のＤ２Ｄ可能なユーザ装置である。さらに、通信ネットワーク３００は、第１および第２のユーザ装置３０２、３０４をサーブするように構成された無線ネットワークノード３０６を備える。
【０２２５】
無線ネットワークノード３０６は、参照信号を送信する第２のユーザ装置３０４を構成するように構成された構成回路８０１を備える。
【０２２６】
前述のように、参照信号は、ＰＳＳ、ＳＳＳ、ＳＲＳ、ＤＭＲＳ、任意のパイロット信号、または既定の信号であってもよい。
【０２２７】
構成回路８０１は、帯域幅の一部、または帯域幅の全部を通じて参照信号を送信するように第２のユーザ装置３０４を構成するようにさらに構成されてもよい。
【０２２８】
いくつかの実施形態において、構成回路８０１は、参照信号帯域幅、参照信号の期間および／または周期性、サブフレーム内部の参照位置、Ｚａｄｏｆｆ−Ｃｈｕシーケンスのための循環シフト、および／または第２のユーザ装置３０４のホッピングシーケンス情報を構成するように構成される。
【０２２９】
さらに、構成回路８０１は、第２のユーザ装置３０４の送信タイミングアドバンスを構成するように構成されてもよい。
【０２３０】
無線ネットワークノード３０６は、第２のユーザ装置３０４に関する構成情報を、第１のユーザ装置３０２に送信するように構成された送信回路８０２をさらに備える。
【０２３１】
送信回路８０２は、ブロードキャストパラメータまたは特定の信号方式を第２のユーザ装置３０４に用いることによって、第２のユーザ装置３０４に構成情報を送信するようにさらに構成されてもよい。
【０２３２】
いくつかの実施形態において、送信回路８０２は、第２のユーザ装置３０４に関するタイミングアドバンス情報を、第１のユーザ装置３０２に送信するように構成される。
【０２３３】
送信回路８０２は、１つ以上の他の無線ネットワークノード３０６に対して、または通信ネットワーク３００内に備えられた１つ以上のネットワークノード３１０に対して、測定の結果を送信するようにさらに構成されてもよく、１つ以上の他の無線ネットワークノード３０６または１つ以上のネットワークノード３１０は、１つ以上のネットワークオペレーションタスクのために測定結果を用いてもよい。
【０２３４】
ネットワークノード３１０は、ＯＳＳノード、ＳＯＮノード、ＭＤＴ、Ｏ＆Ｍノード、ネットワーク監視ノード、ネットワーク管理ノード、ネットワーク計画ノード、基幹回線網ノード、測位ノード、集中型ノード、ネットワーク制御ノードなどであってもよい。さらに、ネットワークノード３１０は、ネットワーク計画、ネットワーク監視、ネットワーク管理、またはネットワーク・オペレーショナル・パラメータのチューニングなどの、１つ以上のネットワークオペレーションタスクを実行するように構成されてもよい。
【０２３５】
いくつかの実施形態において、無線ネットワークノード３０６は、第２のユーザ装置３０４から受信された１つ以上の参照信号を、第１のユーザ装置３０２に送信し、第１のユーザ装置３０２は、上記の動作５０５に記載されたような追加的測定を実行するように構成されてもよい。
【０２３６】
さらに、無線ネットワークノード３０６は、第２のユーザ装置３０４によって送信された参照信号に関する測定結果を受信するように構成された受信回路８０３を備える。送信された参照信号に関する測定は、第１のユーザ装置３０２によって実行される。
【０２３７】
無線ネットワークノード３０６は、測定の結果に基づいて、または測定の結果を用いて、第１のＤ２Ｄ可能なユーザ装置と第２のＤ２Ｄ可能なユーザ装置との間のＤ２Ｄ通信のための１つ以上の無線オペレーションタスクを実行するように構成された実行回路８０４を備える。
【０２３８】
実行回路８０４は、Ｄ２Ｄ通信およびセルラ通信のために周波数領域および時刻領域をスケジューリングする、アップリンク伝送のためのアンテナモードを選択する、第２のユーザ装置３０４のためのトランスポートフォーマットを適応する、第２のユーザ装置３０４の送信電力を制御する、第２のユーザ装置３０４のためのセル変更を実行する、および／または通信ネットワーク３００の内部の無線リソースを管理するように構成されてもよい。
【０２３９】
さらに、無線ネットワークノード３０６は、第２のユーザ装置３０４によって送信された参照信号の受信電力、受信干渉、および／またはビット誤り率に関する特定の測定を実行することを第１のユーザ装置３０２にリクエストするように構成されたリクエスト回路８０５を備えてもよい。
【０２４０】
動作５００および動作７０４に関して以上に記載されるように、第１のユーザ装置３０２は、無線ネットワークノード３０６に対して能力情報をレポートしてもよい。したがって、リクエスト回路８０５は、第１のユーザ装置３０２から受信される能力情報に基づいて特定の測定を実行することを第１のユーザ装置３０２にリクエストするように構成されてもよい。例えば、通信ネットワーク３００内のＤ２Ｄ通信のためのリソース割り当てを支援する１つ以上の測定を実行するために、リクエスト回路８０５は、能力情報に依存して第１のユーザ装置３０２を構成してもよい。したがって、リクエスト回路８０５は、能力情報内でレポートされたその支援された測定能力に応じて、１つ以上の測定を実行するように第１のユーザ装置３０２にリクエストしてもよい。第１のユーザ装置３０２が２つ以上のタイプの測定を支援する場合、リクエスト回路８０５は、支援された測定からの１つの特定の測定を実行することを第１のユーザ装置３０２にリクエストしてもよい。
【０２４１】
通信ネットワーク３００内のＤ２Ｄ通信のための制御リソース割り当てを実行するための本明細書における実施形態は、本明細書における実施形態の機能および／または方法動作を実行するためのコンピュータ・プログラム・コードに加えて、図６に表された無線ネットワークノード内の処理回路８０６などの、１つ以上のプロセッサを通じて実現されてもよい。
【０２４２】
無線ネットワークノード３０６は、メモリ８０７をさらに備えてもよい。メモリは、１つ以上のメモリユニットを備え、例えば、構成情報、閾値、既定または事前設定の情報、または測定結果などのデータを保存するために用いられてもよい。
【０２４３】
上記の説明は多くの規定を含むが、それらは、限定としてではなく、いくつかの好適な本実施形態の図を単に提供するように解釈されるべきである。技術は、当業者に対して明らかになるかもしれない他の実施形態を完全に包含する。単数形の構成要素に対する言及は、明示的に述べない限り、「１つおよび１つだけ（ｏｎｅ  ａｎｄ  ｏｎｌｙ  ｏｎｅ）」を意味するようには意図しておらず、むしろ「１以上（ｏｎｅ  ｏｒ  ｍｏｒｅ）」を意味する。当業者にとって既知の、上記の実施形態の構成要素に対する構造的・機能的な等価物は、すべて、参照によって明らかに本明細書において援用され、これによって包含するように意図する。さらに、装置または方法にとって、これによって包含される記載の技術によって解決されることが求められる各々およびすべての課題に取り組むことは必要ではない。
【０２４４】
単語「備える（ｃｏｍｐｒｉｓｅ）」または「備える（ｃｏｍｐｒｉｓｉｎｇ）」を用いる場合、少なくとも構成されるという意味で、非限定的に解釈されるだろう。
【０２４５】
単語、（単数／複数の）動作（ａｃｔｉｏｎ／ａｃｔｉｏｎｓ）を用いる場合、広く解釈されるものとし、言及した順序で動作を行わなければならないことを暗に示さないものとする。その代りに、言及した順序以外のあらゆる適切な順序で、動作を行ってもよい。さらに、いくつかの（単数／複数の）動作は、オプションかもしれない。
【０２４６】
さらに、図面の点線ボックスおよび点線矢線は、本明細書における実施形態のオプションの機能および動作を概略的に示す。
【０２４７】
本明細書における実施形態は、上記の例に限定されない。様々な代替手段、変形、および等価物が用いられてもよい。したがって、上記の例は、本発明の範囲の限定として見なすべきではない。本発明の範囲は、添付の特許請求の範囲によって規定される。
【図１】
0005855280.tif 000002
【図２】
0005855280.tif 000003
【図３ａ】
0005855280.tif 000004
【図３ｂ】
0005855280.tif 000005
【図３ｃ】
0005855280.tif 000006
【図４】
0005855280.tif 000007
【図５】
0005855280.tif 000008
【図６】
0005855280.tif 000009
【図７】
0005855280.tif 000010
【図８】
0005855280.tif 000011